(57)【要約】      （修正有）【課題】無線通信システムにおいて無線信号の送受信を効率的に行うことができる送受信方法及び装置を提供する。【解決手段】基地局は、第１の副搬送波スペーシングに関連した期間をそれぞれが有する複数の第１の時間区間の中のｎ番目の時間区間でＰＤＣＣＨ信号を送信し、第２の副搬送波スペーシングに関連した期間をそれぞれが有する複数の第２の時間区間の中のｍ番目時間区間を決定し、ｍ番目時間区間でＰＵＳＣＨ信号を受信し、ｍ番目の第２の時間区間は、ＰＤＣＣＨ信号を送信することに関連したｋ番目の第２の時間区間の後のタイミングオフセットディレイであり、第１の時間区間は、第２の時間区間の区間より長く、第２の副搬送波スペーシングより小さい記第１の副搬送波スペーシングに基づき、ｋ番目の時間区間は、ＰＤＣＣＨ信号が送信されたｎ番目の第１の時間区間と時間が重複する複数の第２の時間区間の中の最も早い一つである。【選択図】図１９
2020191649.tif 000002
【特許請求の範囲】
【請求項１】
無線通信システムにおいて端末（ＵＥ）が通信を実行する方法であって、
第１の副搬送波スペーシングに関連した期間をそれぞれが有する複数の第１の時間区間の中のｎ番目の第１の時間区間でＰＤＣＣＨ（Ｐｈｙｓｉｃａｌ  Ｄｏｗｎｌｉｎｋ  Ｃｏｎｔｒｏｌ  Ｃｈａｎｎｅｌ）信号を受信するステップと、
第２の副搬送波スペーシングに関連した期間をそれぞれが有する複数の第２の時間区間の中のｍ番目の第２の時間区間を決定するステップであって、前記ｍ番目の第２の時間区間は、（ｉ）前記ＰＤＣＣＨ信号に依存する搬送波指示情報と、（ｉｉ）前記端末に対するタイミングオフセットデレイに関連するタイミングオフセット情報に基づいて決定される、ステップと、
前記ｍ番目の第２の時間区間でＰＵＳＣＨ（Ｐｈｙｓｉｃａｌ  Ｕｐｌｉｎｋ  Ｓｈａｒｅｄ  Ｃｈａｎｎｅｌ）信号を送信するステップとを含み、
前記ｍ番目の第２の時間区間は、前記ＰＤＣＣＨ信号を受信することに関連したｋ番目の第２の時間区間の後の、前記タイミングオフセットデレイであると決定され、
前記複数の第１の時間区間のそれぞれの区間は、前記複数の第２の時間区間のそれぞれの区間より長く、前記第２の副搬送波スペーシングより小さい前記第１の副搬送波スペーシングに基づき、
前記ｋ番目の第２の時間区間は、前記ＰＤＣＣＨ信号が受信されたｎ番目の第１の時間区間と時間が重複する複数の第２の時間区間の中の最も早い一つである、方法。
【請求項２】
前記ＰＤＣＣＨ信号は前記無線通信システムの中の第１セルを通して受信され、
前記ＰＵＳＣＨ信号は前記第１セルと異なる前記無線通信システムの中の第２セルを通して送信される、請求項１に記載の方法。
【請求項３】
前記ＰＤＣＣＨ信号が前記第１セルに関連した第１周波数帯域で受信され、
前記ＰＵＳＣＨ信号が前記第２セルに関連した第２周波数帯域で送信される、請求項２に記載の方法。
【請求項４】
前記ＰＤＣＣＨ信号はスケジューリング情報を含み、
前記ＰＵＳＣＨ信号は、前記ＰＤＣＣＨ信号で受信された前記スケジューリング情報に基づいて前記ｍ番目の第２の時間区間で送信される、請求項１に記載の方法。
【請求項５】
前記タイミングオフセットデレイは、前記複数の第２の時間区間のターム（ｔｅｒｍｓ）に現れる、請求項１に記載の方法。
【請求項６】
前記複数の第１の時間区間のそれぞれは、複数の第１のＯＦＤＭ（ｏｒｔｈｇｏｎａｌ  ｆｒｅｑｕｅｎｃｙ  ｄｉｖｉｓｉｏｎ  ｍｕｌｔｉｐｌｅｘｅｄ）されたシンボルを含み、
前記複数の第２の時間区間のそれぞれは、複数の第２のＯＦＤＭされたシンボルを含む、請求項１に記載の方法。
【請求項７】
無線通信システムにおいて通信を実行する端末（ＵＥ）であって、
少なくとも一つの無線（ＲＦ）モジュールと、
少なくとも一つのプロセッサと、
前記少なくとも一つのプロセッサと動作的に結合可能であり、実行された時、前記少なくとも一つのプロセッサに以下の動作を実行させる命令（ｉｎｓｔｒｕｃｔｉｏｎｓ）を格納する少なくとも一つのコンピュータメモリとを備え、
前記少なくとも一つのプロセッサは、
第１の副搬送波スペーシングに関連した期間をそれぞれが有する複数の第１の時間区間の中のｎ番目の第１の時間区間でＰＤＣＣＨ（Ｐｈｙｓｉｃａｌ  Ｄｏｗｎｌｉｎｋ  Ｃｏｎｔｒｏｌ  Ｃｈａｎｎｅｌ）信号を受信し、
第２の副搬送波スペーシングに関連した期間をそれぞれが有する複数の第２の時間区間の中のｍ番目の第２の時間区間を決定し、前記ｍ番目の第２の時間区間は、（ｉ）前記ＰＤＣＣＨ信号に依存する搬送波指示情報と、（ｉｉ）前記端末に対するタイミングオフセットデレイに関連するタイミングオフセット情報に基づいて決定され、
前記ｍ番目の第２の時間区間でＰＵＳＣＨ（Ｐｈｙｓｉｃａｌ  Ｕｐｌｉｎｋ  Ｓｈａｒｅｄ  Ｃｈａｎｎｅｌ）信号を送信し、
前記ｍ番目の第２の時間区間は、前記ＰＤＣＣＨ信号を受信することに関連したｋ番目の第２の時間区間の後の、前記タイミングオフセットデレイであると決定され、
前記複数の第１の時間区間のそれぞれの区間は、前記複数の第２の時間区間のそれぞれの区間より長く、前記第２の副搬送波スペーシングより小さい前記第１の副搬送波スペーシングに基づき、
前記ｋ番目の第２の時間区間は、前記ＰＤＣＣＨ信号が受信されたｎ番目の第１の時間区間と時間が重複する複数の第２の時間区間の中の最も早い一つである、ＵＥ。
【請求項８】
前記ＰＤＣＣＨ信号は前記無線通信システムの中の第１セルを通して受信され、
前記ＰＵＳＣＨ信号は前記第１セルと異なる前記無線通信システムの中の第２セルを通して送信される、請求項７に記載のＵＥ。
【請求項９】
前記ＰＤＣＣＨ信号が前記第１セルに関連した第１周波数帯域で受信され、
前記ＰＵＳＣＨ信号が前記第２セルに関連した第２周波数帯域で送信される、請求項８に記載のＵＥ。
【請求項１０】
前記ＰＤＣＣＨ信号はスケジューリング情報を含み、
前記ＰＵＳＣＨ信号は、前記ＰＤＣＣＨ信号で受信された前記スケジューリング情報に基づいて前記ｍ番目の第２の時間区間で送信される、請求項７に記載のＵＥ。
【請求項１１】
前記タイミングオフセットデレイは、前記複数の第２の時間区間のターム（ｔｅｒｍｓ）に現れる、請求項７に記載のＵＥ。
【請求項１２】
前記複数の第１の時間区間のそれぞれは、複数の第１のＯＦＤＭ（ｏｒｔｈｇｏｎａｌ  ｆｒｅｑｕｅｎｃｙ  ｄｉｖｉｓｉｏｎ  ｍｕｌｔｉｐｌｅｘｅｄ）されたシンボルを含み、
前記複数の第２の時間区間のそれぞれは、複数の第２のＯＦＤＭされたシンボルを含む、請求項７に記載のＵＥ。
【発明の詳細な説明】
【技術分野】
【０００１】
本発明は無線通信システムに関し、より具体的には無線信号の送受信方法及び装置に関する。無線通信システムはＣＡ(Ｃａｒｒｉｅｒ  Ａｇｇｒｅｇａｔｉｏｎ)基盤の無線通信システムを含む。
【背景技術】
【０００２】
無線通信システムが音声やデータなどの種々の通信サービスを提供するために広範囲に展開されている。一般に、無線通信システムは可用のシステムリソース（帯域幅、伝送パワーなど）を共有して多重使用者との通信を支援することができる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線信号の送受信過程を効率的に行う方法及びそのための装置を提供することにある。
【０００４】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００５】
本発明の一態様では、無線通信システムにおいて端末が通信を行う方法であって、第１ＴＴＩ(Ｔｒａｎｓｍｉｓｓｉｏｎ  Ｔｉｍｅｒ  Ｉｎｔｅｒｖａｌ)長さを有する第１セルと第２ＴＴＩ長さを有する第２セルとを併合し、第２ＴＴＩ長さは第１ＴＴＩ長さのＮ倍(Ｎ＞１)である段階と、第１セルの第１ＴＴＩ上で第２セルに対するデータスケジューリング情報を受信する段階と、データスケジューリング情報に基づいて、第１セルの第１ＴＴＩに対応する第２セルの第２ＴＴＩ上でデータ通信を行う段階とを含み、第１セルの第１ＴＴＩは、第２セルの第２ＴＴＩに対応する第１セルのＮ個のＴＴＩのうちいずれか１つのＴＴＩである方法が提供される。
【０００６】
本発明の他の態様では、無線通信システムで使用される端末であって、ＲＦ(Ｒａｄｉｏ  Ｆｒｅｑｕｅｎｃｙ)モジュールと、プロセッサを含み、プロセッサは、第１ＴＴＩ(Ｔｒａｎｓｍｉｓｓｉｏｎ  Ｔｉｍｅｒ  Ｉｎｔｅｒｖａｌ)長さを有する第１セルと第２ＴＴＩ長さを有する第２セルとを併合し、第２ＴＴＩ長さは第１ＴＴＩ長さのＮ倍(Ｎ＞１)であり、第１セルの第１ＴＴＩ上で第２セルに対するデータスケジューリング情報を受信し、データスケジューリング情報に基づいて、第１セルの第１ＴＴＩに対応する第２セルの第２ＴＴＩ上でデータ通信を行うように構成され、第１セルの第１ＴＴＩは、第２セルの第２ＴＴＩに対応する第１セルのＮ個のＴＴＩのうちいずれか１つのＴＴＩである端末が提供される。
【０００７】
好ましくは、第２セルの第２ＴＴＩに対応する第１セルのＮ個のＴＴＩは複数のＴＴＩグループに区分され、第１セルの第１ＴＴＩは、複数のＴＴＩグループのうち所定のＴＴＩグループに属するいずれか１つのＴＴＩである。
【０００８】
好ましくは、所定のＴＴＩグループにおいて、第１セルの第１ＴＴＩに該当するＴＴＩの位置が時間によって変化する。
【０００９】
好ましくは、第１セルの第１ＴＴＩは、第２セルの第２ＴＴＩに対応する第１セルのＮ個のＴＴＩのうち、第２セルの第２ＴＴＩを構成する複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルのうちの１番目のＯＦＤＭシンボルと時間領域で重なるＴＴＩである。
【００１０】
好ましくは、第２セルに対するデータスケジューリング情報を受信するために、さらに第２セルの第２ＴＴＩに対応する第１セルのＮ個のＴＩＩを順にモニタリングすることを含み、第２セルに対するデータスケジューリング情報が検出されると、第１セルのＮ個のＴＴＩに対するモニタリングは未だモニタリングしていないＴＴＩがあっても中断することができる。
【００１１】
好ましくは、第１セルに設定された副搬送波スペーシングは、第２セルに設定された副搬送波スペーシングより大きい。
【発明の効果】
【００１２】
本発明によれば、無線通信システムにおいて無線信号の送受信を効率的に行うことができる。
【００１３】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１４】
本発明に関する理解を助けるために詳細な説明の一部として含まれる添付図面は本発明の実施例を提供し、詳細な説明とともに本発明の技術的思想を説明する。
【図１】無線通信システムの一例である３ＧＰＰ  ＬＴＥ(−Ａ)システムに用いられる物理チャネル及びこれらを用いた一般的な信号伝送方法を例示する図である。
【図２】無線フレーム（ｒａｄｉｏ  ｆｒａｍｅ）の構造を例示する図である。
【図３】下りリンクスロットのリソースグリッドを例示する図である。
【図４】下りリンクサブフレームの構造を示す図である。
【図５】ＥＰＤＣＣＨ(Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ)を例示する図である。
【図６】ＬＴＥ（−Ａ）で使用される上りリンクサブフレームの構造を例示する図である。
【図７】ＳＣ−ＦＤＭＡ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ)方式とＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)方式を例示する図である。
【図８】ＵＬ  ＨＡＲＱ(Ｕｐｌｉｎｋ  Ｈｙｂｒｉｄ  Ａｕｔｏｍａｔｉｃ  Ｒｅｐｅａｔ  ｒｅＱｕｅｓｔ)動作を例示する図である。
【図９】ランダム接続過程を例示する図である。
【図１０】ランダム接続過程を例示する図である。
【図１１】上りリンク−下りリンクのフレームタイミングを例示する図である。
【図１２】キャリア併合（Ｃａｒｒｉｅｒ  Ａｇｇｒｅｇａｔｉｏｎ、ＣＡ）通信システムを例示する図である。
【図１３】クロス−キャリアスケジューリング(ｃｒｏｓｓ-ｃａｒｒｉｅｒ  ｓｃｈｅｄｕｌｉｎｇ)を例示する図である。
【図１４】アナログビーム形成を例示する図である。
【図１５】自己完結(ｓｅｌｆ-ｃｏｎｔａｉｎｅｄ)サブフレーム構造を例示する図である。
【図１６】本発明による信号伝送を例示する図である。
【図１７】本発明による信号伝送を例示する図である。
【図１８】本発明による信号伝送を例示する図である。
【図１９】本発明による信号伝送を例示する図である。
【図２０】本発明に適用可能な基地局及び端末を例示する図である。
【発明を実施するための形態】
【００１５】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに用いられることができる。ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって具現可能である。ＴＤＭＡはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現可能である。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術によって具現可能である。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は３ＧＰＰ  ＬＴＥの進化したバージョンである。説明を明確にするために、３ＧＰＰ  ＬＴＥ／ＬＴＥ−Ａを主として説明したが、本発明の技術的思想はこれに限定されない。
【００１６】
無線通信システムにおいて、端末は基地局から下りリンク(Ｄｏｗｎｌｉｎｋ、ＤＬ)を介して情報を受信し、端末は基地局から上りリンク(Ｕｐｌｉｎｋ、ＵＬ)を介して情報を伝送する。基地局と端末が送受信する情報はデータ及び様々な制御情報を含み、これらが送受信する情報の種類／用途によって様々な物理チャネルが存在する。
【００１７】
図１は３ＧＰＰ  ＬＴＥ(−Ａ)システムに用いられる物理チャネル及びこれらを用いた一般的な信号伝送方法を例示する図である。
【００１８】
電源Ｏｆｆ状態で電源を入れたか或いは新しくセルに進入した端末は、段階Ｓ１０１において、基地局と同期を確立するなどの初期セル探索(Ｉｎｉｔｉａｌ  ｃｅｌｌ  ｓｅａｒｃｈ)作業を行う。このために、端末は基地局から主同期チャネル(Ｐｒｉｍａｒｙ  Ｓｙｎｃｈｒｏｎｉｚａｔｉｏｎ  Ｃｈａｎｎｅｌ、Ｐ−ＳＣＨ)及び副同期チャネル(Ｓｅｃｏｎｄａｒｙ  Ｓｙｎｃｈｒｏｎｉｚａｔｉｏｎ  Ｃｈａｎｎｅｌ、Ｓ−ＳＣＨ)を受信して基地局と同期を確立し、セルＩＤ(ｃｅｌｌ  ｉｄｅｎｔｉｔｙ)などの情報を得る。その後、端末は基地局から物理放送チャネル(Ｐｈｙｓｉｃａｌ  Ｂｒｏａｄｃａｓｔ  Ｃｈａｎｎｅｌ、ＰＢＣＨ)を受信してセル内の放送情報を得る。なお、端末は初期セル探索の段階において、下りリンク参照信号(Ｄｏｗｎｌｉｎｋ  Ｒｅｆｅｒｅｎｃｅ  Ｓｉｇｎａｌ、ＤＬ  ＲＳ)を受信して下りリンクチャネルの状態を確認できる。
【００１９】
初期セル探索が終了した端末は、段階Ｓ１０２において、物理下りリンク制御チャネル(Ｐｈｙｓｉｃａｌ  Ｄｏｗｎｌｉｎｋ  Ｃｏｎｔｒｏｌ  Ｃｈａｎｎｅｌ、ＰＤＣＣＨ)及び物理下りリンク制御チャネルの情報に基づく物理下りリンク共有チャネル(Ｐｈｙｓｉｃａｌ  Ｄｏｗｎｌｉｎｋ  Ｃｏｎｔｒｏｌ  Ｃｈａｎｎｅｌ、ＰＤＳＣＨ)を受信して、より具体的なシステム情報を得る。
【００２０】
以後端末は基地局に接続を完了するために、段階Ｓ１０３乃至段階Ｓ１０６のような任意接続過程(Ｒａｎｄｏｍ  Ａｃｃｅｓｓ  Ｐｒｏｃｅｄｕｒｅ)を行う。このために端末は、物理任意接続チャネル(Ｐｈｙｓｉｃａｌ  Ｒａｎｄｏｍ  Ａｃｃｅｓｓ  Ｃｈａｎｎｅｌ、ＰＲＡＣＨ)を介してプリアンブル(ｐｒｅａｍｂｌｅ)を伝送し(Ｓ１０３)、物理下りリンク制御チャネル及びこれに対応する物理下りリンク共有チャネルを介してプリアンブルに対する応答メッセージを受信する(Ｓ１０４)。競争基盤の任意接続(Ｃｏｎｔｅｎｔｉｏｎ  ｂａｓｅｄ  ｒａｎｄｏｍ  ａｃｃｅｓｓ)の場合、さらなる物理任意接続チャネルの伝送(Ｓ１０５)、物理下りリンク制御チャネル及びそれに対応する物理下りリンク共有チャネルの受信(Ｓ１０６)のような衝突解決手順(Ｃｏｎｔｅｎｔｉｏｎ  Ｒｅｓｏｌｕｔｉｏｎ  Ｐｒｏｃｅｄｕｒｅ)を行う。
【００２１】
このような手順を行った端末は、その後一般的な上り／下りリンク信号の伝送手順として物理下りリンク制御チャネル／物理下りリンク共有チャネルの受信(Ｓ１０７)、及び物理上りリンク共有チャネル(Ｐｈｙｓｉｃａｌ  Ｕｐｌｉｎｋ  Ｓｈａｒｅｄ  Ｃｈａｎｎｅｌ、ＰＵＳＣＨ)／物理上りリンク制御チャネル(Ｐｈｙｓｉｃａｌ  Ｕｐｌｉｎｋ  Ｃｏｎｔｒｏｌ  Ｃｈａｎｎｅｌ、ＰＵＣＣＨ)の伝送を行う(Ｓ１０８)。端末が基地局に伝送する制御情報を併せて上りリンク制御情報(Ｕｐｌｉｎｋ  Ｃｏｎｔｒｏｌ  Ｉｎｆｏｒｍａｔｉｏｎ、ＵＣＩ)と称する。ＵＣＩは、ＨＡＲＱ  ＡＣＫ／ＮＡＣＫ(Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ  Ｒｅｑｕｅｓｔ)、ＣＳＩ(Ｃｈａｎｎｅｌ  Ｓｔａｔｅ  Ｉｎｆｏｒｍａｔｉｏｎ)などを含む。ＣＳＩは、ＣＱＩ(Ｃｈａｎｎｅｌ  Ｑｕａｌｉｔｙ  Ｉｎｄｉｃａｔｏｒ)、ＰＭＩ(Ｐｒｅｃｏｄｉｎｇ  Ｍａｔｒｉｘ  Ｉｎｄｉｃａｔｏｒ)、ＲＩ(Ｒａｎｋ  Ｉｎｄｉｃａｔｉｏｎ)などを含む。ＵＣＩは一般的にＰＵＣＣＨを介して伝送されるが、制御情報とトラヒックデータが同時に伝送される必要がある場合にはＰＵＳＣＨを介して伝送される。また、ネットワークの要請／指示によってＰＵＳＣＨを介してＵＣＩを非周期的に伝送することができる。
【００２２】
図２は無線フレーム（ｒａｄｉｏ  ｆｒａｍｅ）構造を例示する。上りリンク／下りリンクデータパケット伝送サブフレーム（ｓｕｂｆｒａｍｅ）単位でなり、一つのサブフレームは多数のＯＦＤＭシンボルを含む一定時間区間と定義される。ＬＴＥ（−Ａ）はＦＤＤ（Ｆｒｅｑｕｅｎｃｙ  Ｄｉｖｉｓｉｏｎ  Ｄｕｐｌｅｘ）のためのタイプ１無線フレーム構造及びＴＤＤ（Ｔｉｍｅ  Ｄｉｖｉｓｉｏｎ  Ｄｕｐｌｅｘ）のためのタイプ２無線フレーム構造を支援する。
【００２３】
図２（ａ）はタイプ１無線フレーム構造を例示する。下りリンク無線フレームは１０個のサブフレームで構成され、一つのサブフレームは時間領域（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓであり、一つのスロットの長さは０．５ｍｓであってもよい。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。3GPPＬＴＥ（−Ａ）システムにおいては下りリンクでＯＦＤＭＡを使うので、ＯＦＤＭシンボルが一つのシンボル区間を示す。ＯＦＤＭシンボルはＳＣ−ＦＤＭＡシンボル又はシンボル区間と言うこともできる。リソース割当て単位としてのリソースブロック（ＲＢ）は一つのスロットで複数の連続的な副搬送波（ｓｕｂｃａｒｒｉｅｒ）を含むことができる。
【００２４】
スロットに含まれるＯＦＤＭシンボルの数は、ＣＰ(Ｃｙｃｌｉｃ  Ｐｒｅｆｉｘ)の構成によって異なる。ＣＰには拡張ＣＰ(ｅｘｔｅｎｄｅｄ  ＣＰ)とノーマルＣＰ(ｎｏｒｍａｌ  ＣＰ)がある。例えば、ＯＦＤＭシンボルがノーマルＣＰにより構成される場合、１つのスロットに含まれるＯＦＤＭシンボルの数は７つである。ＯＦＤＭシンボルが拡張されたＣＰによって構成される場合、１つのＯＦＤＭシンボルの長さが長くなるので、１つのスロットに含まれるＯＦＤＭシンボルの数はノーマルＣＰの場合より少なくなる。例えば、拡張ＣＰの場合、１つのスロットに含まれるＯＦＤＭシンボルの数が６つである。端末の高速移動などによりチャネルの状態が不安定な場合、シンボルの間の干渉を減らすために拡張ＣＰが使用される。
【００２５】
ノーマルＣＰが使用される場合、スロットは７つのＯＦＤＭシンボルを含むので、サブフレームは１４つのＯＦＤＭシンボルを含む。サブフレームの初めから最大３つのＯＦＤＭシンボルはＰＤＣＣＨ(ｐｈｙｓｉｃａｌ  ｄｏｗｎｌｉｎｋ  ｃｏｎｔｒｏｌ  ｃｈａｎｎｅｌ)に割り当てられ、その他のＯＦＤＭシンボルはＰＤＳＣＨ(ｐｈｙｓｉｃａｌ  ｄｏｗｎｌｉｎｋ  ｓｈａｒｅｄ  ｃｈａｎｎｅｌ)に割り当てられる。
【００２６】
図２（ｂ）はタイプ２の無線フレームの構造を例示する。タイプ２の無線フレームは、２つのハーフフレーム(ｈａｌｆ  ｆｒａｍｅ)で構成される。ハーフフレームは４(５)個の一般サブフレームと１(０)個のスペシャルサブフレームを含む。一般サブフレームはＵＬ−ＤＬ構成(Ｕｐｌｉｎｋ−Ｄｏｗｎｌｉｎｋ  Ｃｏｎｆｉｇｕｒａｔｉｏｎ)によって上りリンク又は下りリンクに使用される。サブフレームは２つのスロットで構成される。
【００２７】
表１はＵＬ−ＤＬ構成による無線フレーム内のサブフレームの構成を例示する。
【００２８】
【表１】
2020191649.tif 000003
【００２９】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末における初期セル探索、同期化又はチャネル推定に使用される。ＵｐＰＴＳは基地局におけるチャネル推定、端末の上りリンク伝送同期の確立に使用される。保護区間は上りリンクと下りリンクの間における下りリンク信号の多重経路遅延により上りリンクに発生し得る干渉を除去するための区間である。
【００３０】
無線フレームの構造は一例に過ぎず、無線フレームにおいてサブフレームの数、スロットの数、シンボルの数は様々に変更可能である。
【００３１】
図３は下りリンクスロットのリソースグリッドを例示する図である。
【００３２】
図３を参照すると、下りリンクスロットは時間ドメインで複数のＯＦＤＭシンボルを含む。ここでは、１つの下りリンクスロットは７つのＯＦＤＭシンボルを含み、１つのリソースブロック(ＲＢ)は周波数ドメインで１２つの副搬送波を含むことが例示されている。しかし、本発明はこれに制限されない。リソースグリッド上で各々の要素はリソース要素(Ｒｅｓｏｕｒｃｅ  Ｅｌｅｍｅｎｔ、ＲＥ)と称される。１つのＲＢは１２×７ＲＥを含む。下りリンクスロットに含まれたＲＢの数ＮＤＬは下りリンクの伝送帯域に依存する。上りリンクスロットの構造は下りリンクスロットの構造と同一である。
【００３３】
図４は下りリンクサブフレームの構造を例示する。
【００３４】
図４を参照すると、サブフレームの一番目スロットにおいて前側に位置する最大３（４）個のＯＦＤＭシンボルは制御チャネルが割り当てられる制御領域に対応する。その他のＯＦＤＭシンボルは、ＰＤＳＣＨ(ｐｈｙｓｉｃａｌ  ｄｏｗｎｌｉｎｋ  ｓｈａｒｅｄ  ｃｈａｎｃｅｌ)が割り当てられるデータ領域に該当し、データ領域の基本リソース単位はＲＢである。ＬＴＥにおいて使用される下りリンク制御チャネルの例は、ＰＣＦＩＣＨ(ｐｈｙｓｉｃａｌ  ｃｏｎｔｒｏｌ  ｆｏｒｍａｔ  ｉｎｄｉｃａｔｏｒ  ｃｈａｎｎｅｌ)、ＰＤＣＣＨ(ｐｈｙｓｉｃａｌ  ｄｏｗｎｌｉｎｋ  ｃｏｎｔｒｏｌ  ｃｈａｎｎｅｌ)、ＰＨＩＣＨ(ｐｈｙｓｉｃａｌ  ｈｙｂｒｉｄ  ＡＲＱ  ｉｎｄｉｃａｔｏｒ  ｃｈａｎｎｅｌ)などを含む。ＰＣＦＩＣＨはサブフレームの一番目ＯＦＤＭシンボルで送信され、サブフレーム内で制御チャネルの伝送に使われるＯＦＤＭシンボルの数についての情報を運ぶ。ＰＨＩＣＨは上りリンク伝送に対する応答であり、ＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。ＰＤＣＣＨを介して伝送される制御情報はＤＣＩ(ｄｏｗｎｌｉｎｋ  ｃｏｎｔｒｏｌ  ｉｎｆｏｒｍａｔｉｏｎ)と称される。ＤＣＩは上りリンク又は下りリンクのスケジューリング情報又は任意の端末グループのための上りリンク伝送電力制御命令(Ｔｒａｎｓｍｉｔ  Ｐｏｗｅｒ  Ｃｏｎｔｒｏｌ  Ｃｏｍｍａｎｄ)を含む。
【００３５】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と言う。ＤＣＩフォーマットは上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの数、各々の情報フィールドのビットの数などが変わる。例えば、ＤＣＩフォーマットは用途によってホッピングフラグ（ｈｏｐｐｉｎｇ  ｆｌａｇ）、ＲＢ割当て、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、ＤＭＲＳ（ＤｅＭｏｄｕｌａｔｉｏｎ  Ｒｅｆｅｒｅｎｃｅ  Ｓｉｇｎａｌ）のための循環シフト、ＣＱＩ（Ｃｈａｎｎｅｌ  Ｑｕａｌｉｔｙ  Ｉｎｆｏｒｍａｔｉｏｎ）要請、ＨＡＲＱプロセス番号、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）などの情報を選択的に含む。従って、ＤＣＩフォーマットによってＤＣＩフォーマットに整合される制御情報のサイズが変わる。なお、任意のＤＣＩフォーマットは２つ種類以上の制御情報伝送に使用される。例えば、ＤＣＩフォーマット０／１ＡはＤＣＩフォーマット０又はＤＣＩフォーマット１を運ぶために使用され、これらはフラグフィールド(ｆｌａｇ  ｆｉｅｌｄ)により区分される。
【００３６】
ＰＤＣＣＨはＤＬ−ＳＣＨ(ｄｏｗｎｌｉｎｋ  ｓｈａｒｅｄ  ｃｈａｎｎｅｌ)の伝送フォーマット及びリソース割り当て、ＵＬ−ＳＣＨ(ｕｐｌｉｎｋ  ｓｈａｒｅｄ  ｃｈａｎｎｅｌ)に対するリソース割り当て情報、ＰＣＨ(ｐａｇｉｎｇ  ｃｈａｎｎｅｌ)に対するページング情報、ＤＬ−ＳＣＨ上のシステム情報(ｓｙｓｔｅｍ  ｉｎｆｏｒｍａｔｉｏｎ)、ＰＤＳＣＨ上で伝送されるランダム接続応答のような上位階層制御メッセージのリソース割り当て情報、任意の端末グループ内で個別の端末に対する伝送電力制御命令、ＶｏＩＰ(Ｖｏｉｃｅ  ｏｖｅｒ  ＩＰ)の活性化(ａｃｔｉｖａｔｉｏｎ)などを運ぶ。複数のＰＤＣＣＨが制御領域内で送信されることができる。端末は複数のＰＤＣＣＨをモニターすることができる。ＰＤＣＣＨは一つ又は複数の連続した制御チャネル要素（Ｃｏｎｔｒｏｌ  Ｃｈａｎｎｅｌ  Ｅｌｅｍｅｎｔ、ＣＣＥ）の集合（ａｇｇｒｅｇａｔｉｏｎ）上で送信される。ＣＣＥはＰＤＣＣＨに無線チャネル状態に基づくコーディングレートを提供するのに使われる論理的割当てユニットである。ＣＣＥは複数のリソース要素グループ（Ｒｅｓｏｕｒｃｅ  Ｅｌｅｍｅｎｔ  Ｇｒｏｕｐ、ＲＥＧ）に対応する。ＰＤＣＣＨのフォーマット及びＰＤＣＣＨビットの数はＣＣＥの数によって決定される。基地局は端末に送信されるＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付け加える。ＣＲＣはＰＤＣＣＨの所有者又は使用目的によって識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスキングされる。例えば、ＰＤＣＣＨが特定の端末のためのものである場合、該当端末の識別子（例えば、Ｃｅｌｌ−ＲＮＴＩ（Ｃ−ＲＮＴＩ））がＣＲＣにマスキングされることができる。ＰＤＣＣＨがページングメッセージのためのものである場合、ページング識別子（例えば、Ｐａｇｉｎｇ−ＲＮＴＩ（Ｐ−ＲＮＴＩ））がＣＲＣにマスキングされる。ＰＤＣＣＨがシステム情報（より具体的に、システム情報ブロック（Ｓｙｓｔｅｍ  Ｉｎｆｏｒｍａｔｉｏｎ  Ｂｌｏｃｋ、ＳＩＢ））のためのものである場合、ＳＩ−ＲＮＴＩ（Ｓｙｓｔｅｍ  Ｉｎｆｏｒｍａｔｉｏｎ  ＲＮＴＩ）がＣＲＣにマスキングされる。ＰＤＣＣＨがランダム接続応答のためのものである場合、ＲＡ−ＲＮＴＩ（Ｒａｎｄｏｍ  Ａｃｃｅｓｓ−ＲＮＴＩ）がＣＲＣにマスキングされる。
【００３７】
ＰＤＣＣＨはＤＣＩ(ｄｏｗｎｌｉｎｋ  ｃｏｎｔｒｏｌ  ｉｎｆｏｒｍａｔｉｏｎ)と知られたメッセージを運び、ＤＣＩは１つの端末又は端末グループのためのリソース割り当て及び他の制御情報を含む。一般的に、複数のＰＤＣＣＨが１つのサブフレーム内で伝送される。各々のＰＤＣＣＨは１つ以上のＣＣＥ(Ｃｏｎｔｒｏｌ  Ｃｈａｎｎｅｌ  Ｅｌｅｍｅｎｔ)を用いて伝送され、各々のＣＣＥは９セットの４つのリソース要素に対応する。４つのリソース要素はＲＥＧ(Ｒｅｓｏｕｒｃｅ  Ｅｌｅｍｅｎｔ  Ｇｒｏｕｐ)と称される。４つのＱＰＳＫシンボルが１つのＲＥＧにマッピングされる。参照信号に割り当てられたリソース要素はＲＥＧに含まれず、これによって与えられたＯＦＤＭシンボル内でＲＥＧの総数はセル−特定(ｃｅｌｌ−ｓｐｅｃｉｆｉｃ)の参照信号の存在有無によって変わる。ＲＥＧ概念(即ち、グループ単位マッピング、各々のグループは４つのリソース要素を含む)は、他の下りリンク制御チャネル(ＰＣＦＩＣＨ及びＰＨＩＣＨ)にも使用される。即ち、ＲＥＧは制御領域の基本リソース単位として使用される。４つのＰＤＣＣＨフォーマットが表２のように支援される。
【００３８】
【表２】
2020191649.tif 000004
【００３９】
複数のＣＣＥは連続的にナンバーリングされて使用され、復号化プロセスを単純化するために、ｎ  ＣＣＥｓで構成されたフォーマットを有するＰＤＣＣＨはｎの倍数と同じ数を有するＣＣＥでのみ始まる。所定のＰＤＣＣＨの伝送のために使用されるＣＣＥの数は、チャネル条件に従って基地局により決定される。例えば、ＰＤＣＣＨが良好な下りリンクチャネル(例えば、基地局に近い)を有する端末のためのものである場合、１つのＣＣＥでも十分である。しかし、悪いチャネル(例えば、セル境界に近い)を有する端末の場合は、十分な堅牢さ(ｒｏｂｕｓｔｎｅｓｓ)を得るために、８つのＣＣＥが使用される。また、ＰＤＣＣＨのパーワレベルをチャネル条件に合わせて調節できる。
【００４０】
ＬＴＥに導入された方案は、各々の端末のためにＰＤＣＣＨが位置可能な制限されたセットにおけるＣＣＥ位置を定義することである。端末が自分のＰＤＣＣＨを探索できる制限されたセットにおけるＣＣＥの位置は、検索空間(Ｓｅａｒｃｈ  Ｓｐａｃｅ、ＳＳ)と称される。ＬＴＥにおいて、検索空間は各々のＰＤＣＣＨフォーマットによって異なるサイズを有する。また、ＵＥ−特定(ＵＥ−ｓｐｅｃｉｆｉｃ)及び共通(ｃｏｍｍｏｎ)の検索空間が別に定義される。ＵＥ−特定の検索空間(ＵＥ-Ｓｐｅｃｉｆｉｃ  Ｓｅａｒｃｈ  Ｓｐａｃｅ、ＵＳＳ)は、各々の端末のために個々に設定され、共通検索空間(Ｃｏｍｍｏｎ  Ｓｅａｒｃｈ  Ｓｐａｃｅ、ＣＳＳ)の範囲は全端末に通知される。ＵＥ−特定及び共通検索空間は、与えられた端末に対して重なり合うことができる。非常に小さい検索空間を有する時、所定の端末のための検索空間において一部のＣＣＥ位置が割り当てられた場合は残ったＣＣＥがないため、与えられたサブフレーム内で基地局はできる限り全ての端末にＰＤＣＣＨを伝送するＣＣＥリソースを見つけることができない。このようにブロッキングが次のサブフレームに続く可能性を最小化するために、ＵＥ−特定検索空間の開始位置に端末−特定ホッピングシーケンスが適用される。
【００４１】
表３は共通及びＵＥ−特定検索空間のサイズを表す。
【００４２】
【表３】
2020191649.tif 000005
【００４３】
ブラインドデコード(Ｂｌｉｎｄ  Ｄｅｃｏｄｉｎｇ；ＢＤ)の総回数による計算負荷を統制下におくために、端末は定義された全てのＤＣＩフォーマットを同時に検索することが要求されない。一般的に、ＵＥ−特定検索空間内で端末は常にフォーマット０と１Ａを検索する。フォーマット０と１Ａは同じサイズを有し、メッセージ内のフラグによって区分される。また端末は追加フォーマットを受信するように要求されることができる(例えば、基地局により設定されたＰＤＳＣＨ伝送モードによって１，１Ｂ又は２)。共通検索空間において端末はフォーマット１Ａ及び１Ｃをサーチする。また端末はフォーマット３又は３Ａをサーチするように設定されることができる。フォーマット３及び３Ａはフォーマット０及び１Ａと同じサイズを有し、端末−特定識別者よりは、互いに異なる(共通)識別者でＣＲＣをスクランブルすることにより区分される。以下、伝送モードによるＰＤＳＣＨの伝送技法、及びＤＣＩフォーマットの情報コンテンツを記載する。
【００４４】
伝送モード(Ｔｒａｎｓｍｉｓｓｉｏｎ  Ｍｏｄｅ、ＴＭ)
【００４５】
●  伝送モード１：単一基地局アンテナポートからの伝送
【００４６】
●  伝送モード２：伝送ダイバーシティ
【００４７】
●  伝送モード３：開−ループ空間多重化
【００４８】
●  伝送モード４：閉−ループ空間多重化
【００４９】
●  伝送モード５：多重ユーザ  ＭＩＭＯ
【００５０】
●  伝送モード６：閉−ループ  ランク−１プリコーディング
【００５１】
●  伝送モード７：単一−アンテナポート(ポート５)の伝送
【００５２】
●  伝送モード８：二重レイヤ伝送(ポート７及び８)又は単一−アンテナポート(ポート７又は８)の伝送
【００５３】
●  伝送モード９：最大８つのレイヤ伝送(ポート７乃至１４)又は単一−アンテナポート(ポート７又は８)の伝送
【００５４】
ＤＣＩフォーマット
【００５５】
●  フォーマット０：ＰＵＳＣＨ伝送(上りリンク)のためのリソースグラント
【００５６】
●  フォーマット１：単一コードワード  ＰＤＳＣＨの伝送(伝送モード１，２及び７)のためのリソース割り当て
【００５７】
●  フォーマット１Ａ：単一コードワード  ＰＤＳＣＨ(全てのモード)のためのリソース割り当てのコンパクトシグナリング
【００５８】
●  フォーマット１Ｂ：ランク−１  閉−ループ  プリコーディングを用いるＰＤＳＣＨ(モード６)のためのコンパクトリソースの割り当て
【００５９】
●  フォーマット１Ｃ：ＰＤＳＣＨ(例えば、ページング／ブロードキャスティングシステム情報)のための非常にコンパクトなリソースの割り当て
【００６０】
●  フォーマット１Ｄ：多重ユーザ  ＭＩＭＯを用いるＰＤＳＣＨ(モード５)のためのコンパクトなリソースの割り当て
【００６１】
●  フォーマット２：閉−ループ  ＭＩＭＯ動作のＰＤＳＣＨ(モード４)のためのリソースの割り当て
【００６２】
●  フォーマット２Ａ：開−ループ  ＭＩＭＯ動作のＰＤＳＣＨ(モード３)のためのリソースの割り当て
【００６３】
●  フォーマット３／３Ａ：ＰＵＣＣＨ及びＰＵＳＣＨのために２ビット／１ビットのパワー調整値を有するパワーコントロールコマンド
【００６４】
図５はＥＰＤＣＣＨを例示する図である。ＥＰＤＣＣＨはＬＴＥ−Ａでさらに導入されたチャネルである。
【００６５】
図５を参照すると、サブフレームの制御領域(図４参照)には既存ＬＴＥによるＰＤＣＣＨ(便宜上、Ｌｅｇａｃｙ  ＰＤＣＣＨ、Ｌ−ＰＤＣＣＨ)が割り当てられる。図において、Ｌ−ＰＤＣＣＨ領域は、Ｌ−ＰＤＣＣＨが割り当てられる領域を意味する。なお、データ領域(例えば、ＰＤＳＣＨのためのリソース領域)内には、さらにＰＤＣＣＨが割り当てられることができる。データ領域に割り当てられたＰＤＣＣＨをＥＰＤＣＣＨと称する。図示したように、ＥＰＤＣＣＨを介してさらに制御チャネルリソースを確保することにより、Ｌ−ＰＤＣＣＨ領域の制限された制御チャネルリソースによるスケジューリング制約を緩和できる。Ｌ−ＰＤＣＣＨと同様に、ＥＰＤＣＣＨはＤＣＩを運ぶ。例えば、ＥＰＤＣＣＨは下りリンクスケジューリング情報、上りリンクスケジューリング情報を運ぶことができる。例えば、端末はＥＰＤＣＣＨを受信し、ＥＰＤＣＣＨに対応するＰＤＳＣＨを介してデータ／制御情報を受信する。また端末はＥＰＤＣＣＨを受信し、ＥＰＤＣＣＨに対応するＰＵＳＣＨを介してデータ／制御情報を送信する。セルタイプによってＥＰＤＣＣＨ／ＰＤＳＣＨはサブフレームの１番目のＯＦＤＭシンボルから割り当てられることができる。特に区別しない限り、この明細書でＰＤＣＣＨはＬ−ＰＤＣＣＨとＥＰＤＣＣＨを全て含む。
【００６６】
図６はＬＴＥ（−Ａ）で使用される上りリンクサブフレームの構造を例示する図である。
【００６７】
図６を参照すると、サブフレーム５００は２つの０．５ｍｓスロット５０１で構成される。普通(Ｎｏｒｍａｌ)循環前置(Ｃｙｃｌｉｃ  Ｐｒｅｆｉｘ、ＣＰ)の長さを仮定した時、各々のスロットは７つのシンボル５０２で構成され、１つのシンボルは１つのＳＣ−ＦＤＭＡシンボルに対応する。リソースブロック(Ｒｅｓｏｕｒｃｅ  Ｂｌｏｃｋ、ＲＢ)５０３は周波数領域で１２つの副搬送波、また時間領域で１つのスロットに該当するリソース割り当て単位である。ＬＴＥ（−Ａ）の上りリンクサブフレームの構造は大きくデータ領域５０４と制御領域５０５に区分される。データ領域は各々の端末に伝送される音声、パケットなどのデータ送信に使用される通信リソースを意味し、ＰＵＳＣＨ(Ｐｈｙｓｉｃａｌ  Ｕｐｌｉｎｋ  Ｓｈａｒｅｄ  Ｃｈａｎｎｅｌ)を含む。制御領域は上りリンク制御信号、例えば、各々の端末からの下りリンクチャネル品質報告、下りリンク信号に対する受信ＡＣＫ／ＮＡＣＫ、上りリンクスケジューリング要請などの伝送に使用される通信リソースを意味し、ＰＵＣＣＨ(Ｐｈｙｓｉｃａｌ  Ｕｐｌｉｎｋ  Ｃｏｎｔｒｏｌ  Ｃｈａｎｎｅｌ)を含む。サウンディング参照信号(Ｓｏｕｎｄｉｎｇ  Ｒｅｆｅｒｅｎｃｅ  Ｓｉｇｎａｌ、ＳＲＳ)は１つのサブフレームで時間軸上で最後に位置するＳＣ−ＦＤＭＡシンボルを介して伝送される。同じサブフレームの最後のＳＣ−ＦＤＭＡで伝送される複数の端末のＳＲＳは、周波数位置／シーケンスによって区分できる。ＳＲＳは上りリンクのチャネル状態を基地局に伝送するために使用され、上り階層(例えば、ＲＲＣ階層)により設定されたサブフレームの周期／オフセットによって周期的に伝送されるか、或いは基地局の要請によって非周期的に伝送される。
【００６８】
図７はＳＣ−ＦＤＭＡ方式とＯＦＤＭＡ方式を例示する図である。３ＧＰＰシステムにおいては、下りリンクでＯＦＤＭＡを採用し、上りリンクでＳＣ−ＦＤＭＡを採用する。
【００６９】
図７を参照すると、上りリンクの信号伝送のための端末及び下りリンクの信号伝送のための基地局はいずれも直列−並列コンバーター４０１(Ｓｅｒｉａｌ-ｔｏ-Ｐａｒａｌｌｅｌ  Ｃｏｎｖｅｒｔｅｒ)、副搬送波マッパー４０３(ｍａｐｐｅｒ)、Ｍ−ポイントＩＤＦＴモジュール４０４及びＣＰ(Ｃｙｃｌｉｃ  Ｐｒｅｆｉｘ)追加モジュール４０６を含む点で同一である。但し、ＳＣ−ＦＤＭＡ方式で信号を伝送するための端末は、さらにＮ−ポイントＤＦＴモジュール４０２を含む。Ｎ−ポイントＤＦＴモジュール４０２は、Ｍ−ポイントＩＤＦＴモジュール４０４のＩＤＦＴ処理影響を一定部分相殺することにより伝送信号が単一搬送波特性(ｓｉｎｇｌｅ  ｃａｒｒｉｅｒ  ｐｒｏｐｅｒｔｙ)を有するようにする。
【００７０】
次に、ＨＡＲＱ(Ｈｙｂｒｉｄ  Ａｕｔｏｍａｔｉｃ  Ｒｅｐｅａｔ  ｒｅＱｕｅｓｔ)について説明する。無線通信システムにおいて、上り／下りリンクで伝送するデータを有する端末が多数存在する時、基地局は伝送単位時間(Ｔｒａｎｓｍｉｓｓｉｏｎ  Ｔｉｍｅ  Ｉｎｔｅｒｖａｌ、ＴＴＩ)(例えば、サブフレーム)ごとにデータを伝送する端末を選択する。多重搬送波及びこれと同様に運営されるシステムにおいて、基地局はＴＴＩごとに上り／下りリンクでデータを伝送する端末を選択し、該当端末がデータ伝送のために使用する周波数帯域も一緒に選択する。
【００７１】
上りリンクを基準として説明すると、複数の端末は上りリンクを介して参照信号(又はパイロット)を伝送し、基地局は端末から伝送された参照信号を用いて端末のチャネル状態を把握してＴＴＩごとに各々の単位周波数帯域において上りリンクを介してデータを伝送する端末を選択する。基地局はその結果を端末に通知する。即ち、基地局は、特定のＴＴＩに上りリンクスケジューリングされた端末に特定の周波数帯域を用いてデータを伝送せよという上りリンク割り当てメッセージ(ａｓｓｉｇｎｍｅｎｔ  ｍｅｓｓａｇｅ)を伝送する。上りリンク割り当てメッセージは、ＵＬグラント(ｇｒａｎｔ)とも称される。端末は上りリンク割り当てメッセージによってデータを上りリンクに伝送する。上りリンク割り当てメッセージは、端末ＩＤ(ＵＥ  Ｉｄｅｎｔｉｔｙ)、ＲＢ割り当て情報、ＭＣＳ(Ｍｏｄｕｌａｔｉｏｎ  ａｎｄ  Ｃｏｄｉｎｇ  Ｓｃｈｅｍｅ)、ＲＶ(Ｒｅｄｕｎｄａｎｃｙ  Ｖｅｒｓｉｏｎ)バージョン、新規データ指示者(Ｎｅｗ  Ｄａｔａ  ｉｎｄｉｃａｔｉｏｎ、ＮＤＩ)などを含む。
【００７２】
同期(Ｓｙｎｃｈｒｏｎｏｕｓ)ＨＡＲＱ方式の場合、再伝送時間はシステム的に約束されている(例えば、ＮＡＣＫ受信時点から４サブフレーム後)(同期ＨＡＲＱ)。従って、基地局が端末に送信するＵＬグラントメッセージは初期伝送時にのみ送信すればいい。その後の再伝送はＡＣＫ／ＮＡＣＫ信号(例えば、ＰＨＩＣＨ信号)により行われる。非同期ＨＡＲＱ方式の場合、再伝送時間を互いに約束していないため、基地局が端末に再伝送要請メッセージを出さなければならない。また非適応(ｎｏｎ-ａｄａｐｔｉｖｅ)ＨＡＲＱ方式の場合は、再伝送のための周波数リソースやＭＣＳは以前の伝送と同一であり、適応ＨＡＲＱ方式の場合、再伝送のための周波数リソースやＭＣＳが以前の伝送と異なることができる。一例として、非同期適応ＨＡＲＱ方式の場合、再伝送のための周波数リソースやＭＣＳが伝送時点ごとに異なるので、再伝送要請メッセージは端末ＩＤ、ＲＢ割り当て情報、ＨＡＲＱプロセスＩＤ／番号、ＲＶ、ＮＤＩ情報を含むことができる。
【００７３】
図８はＬＴＥ（−Ａ）システムにおいてＵＬ  ＨＡＲＱ動作を例示する図である。ＬＴＥ(−Ａ)システムにおいて、ＵＬ  ＨＡＲＱ方式は同期非適応ＨＡＲＱを使用する。８チャネルＨＡＲＱを使用する場合、ＨＡＲＱプロセス番号は０〜７である。ＴＴＩ(例えば、サブフレーム)ごとに１つのＨＡＲＱプロセスが動作する。図８を参照すると、基地局１１０はＰＤＣＣＨを介してＵＬグラントを端末１２０に伝送する(Ｓ６００)。端末１２０はＵＬグラントを受信した時点(例えば、サブフレーム０)から４サブフレーム後(例えば、サブフレーム４)にＵＬグラントにより指定されたＲＢ及びＭＣＳを用いて基地局１１０に上りリンクデータを伝送する(Ｓ６０２)。基地局１１０は端末１２０から受信した上りリンクデータを復号した後、ＡＣＫ／ＮＡＣＫを生成する。上りリンクデータに対する復号が失敗した場合、基地局１１０は端末１２０にＮＡＣＫを伝送する(Ｓ６０４)。端末１２０はＮＡＣＫを受信した時点から４サブフレーム後に上りリンクデータを再伝送する(Ｓ６０６)。上りリンクデータの初期伝送と再伝送は同じＨＡＲＱプロセッサが担当する(例えば、ＨＡＲＱプロセス４)。ＡＣＫ／ＮＡＣＫ情報はＰＨＩＣＨを介して伝送される。
【００７４】
ＬＴＥにおいてＵＬ伝送のためのスケジューリングは、端末のＵＬ伝送タイミングが同期化された場合にのみ可能である。ランダム接続過程は様々な用途で使用される。例えば、ランダム接続過程はネットワーク初期接続、ハンドオーバー、データの発生時に行われる。また端末はランダム接続過程によりＵＬ同期を得ることができる。ＵＬ同期が得られると、基地局は該当端末にＵＬ伝送のためのリソースを割り当てる。ランダム接続過程は衝突基盤(ｃｏｎｔｅｎｔｉｏｎ  ｂａｓｅｄ)過程と非衝突基盤(ｎｏｎ-ｃｏｎｔｅｎｔｉｏｎ  ｂａｓｅｄ)過程に区分される。
【００７５】
図９は衝突基盤のランダム接続過程を例示する図である。
【００７６】
図９を参照すると、端末はシステム情報を通じて基地局からランダム接続に関する情報を受信する。その後、ランダム接続が必要であれば、端末はランダム接続プリアンブル(メッセージ１ともいう)を基地局に伝送する(Ｓ７１０)。基地局が端末からランダム接続プリアンブルを受信すると、基地局はランダム接続応答メッセージ(Ｒａｎｄｏｍ  Ａｃｃｅｓｓ  Ｒｅｓｐｏｎｓｅ；メッセージ２ともいう)を端末に伝送する(Ｓ７２０)。具体的には、ランダム接続応答メッセージに対する下りスケジューリング情報はＲＡ−ＲＮＴＩ(Ｒａｎｄｏｍ  Ａｃｃｅｓｓ-ＲＮＴＩ)にＣＲＣマスキングされてＬ１／Ｌ２制御チャネル(ＰＤＣＣＨ)上で伝送される。ＲＡ−ＲＮＴＩにマスキングされた下りスケジューリング信号を受信した端末は、ＰＤＳＣＨからランダム接続応答メッセージを受信してデコード(ｄｅｃｏｄｉｎｇ)する。その後、端末はランダム接続応答メッセージに自分に指示されたランダム接続応答情報があるか否かを確認する。自分に指示されたランダム接続応答情報があるか否かは、端末が伝送したプリアンブルに対するＲＡＩＤ(Ｒａｎｄｏｍ  Ａｃｃｅｓｓ  ｐｒｅａｍｂｌｅ  ＩＤ)が存在するか否かによって確認できる。ランダム接続応答情報は同期化のためのタイミングオフセット情報を表すタイミングアドバンス(Ｔｉｍｉｎｇ  Ａｄｖａｎｃｅ、ＴＡ)、上りリンクに使用される無線リソース割り当て情報、端末識別のための臨時識別者(例えば、Ｔ−ＣＲＮＴＩ)などを含む。端末はランダム接続応答情報を受信すると、応答情報に含まれた無線リソース割り当て情報によって上りＳＣＨ(Ｓｈａｒｅｄ  Ｃｈａｎｎｅｌ)に上りメッセージ(メッセージ３ともいう)を伝送する(Ｓ７３０)。基地局はＳ７３０での上りメッセージを端末から受信した後、衝突解決メッセージ(ｃｏｎｔｅｎｔｉｏｎ  ｒｅｓｏｌｕｔｉｏｎ；メッセージ４ともいう)を端末に伝送する(Ｓ７４０)。
【００７７】
図１０は非衝突基盤のランダム接続過程を例示する図である。非衝突基盤のランダム接続過程はハンドオーバー過程で使用されるか或いは基地局の命令によって要請される場合に存在する。基本的な過程は競争基盤のランダム接続過程と同一である。
【００７８】
図１０を参照すると、端末は基地局から自分だけのためのランダム接続プリアンブル(即ち、専用(ｄｅｄｉｃａｔｅｄ)ランダム接続プリアンブル)が割り当てられる(Ｓ８１０)。専用ランダム接続プリアンブル指示情報(例えば、プリアンブルインデックス)は、ハンドオーバー命令メッセージに含まれるか、或いはＰＤＣＣＨを介して受信される。端末は専用ランダム接続プリアンブルを基地局に伝送する(Ｓ８２０)。その後、端末は基地局からランダム接続応答を受信し(Ｓ８３０)、ランダム接続過程を終了する。
【００７９】
非衝突基盤のランダム接続過程をＰＤＣＣＨ命令(ｏｒｄｅｒ)により開始するために、ＤＣＩフォーマット１Ａが使用される。ＤＣＩフォーマット１Ａは、１つのＰＤＳＣＨコードワードに対してコンパクトスケジューリングするためにも使用される。ＤＣＩフォーマット１Ａを用いて以下の情報を伝送する。
【００８０】
−ＤＣＩフォーマット０／１Ａを区分するためのフラグ：１ビット。フラグ値０はＤＣＩフォーマット０を示し、フラグ値１はＤＣＩフォーマット１Ａを示す。
【００８１】
ＤＣＩフォーマット１ＡのＣＲＣがＣ−ＲＮＴＩでスクランブルされた後に残った全てのフィールドが以下のようにセットされた場合、ＤＣＩフォーマット１ＡはＰＤＣＣＨ命令によるランダム接続過程のために使用される。
【００８２】
−偏在(ｌｏｃａｌｉｚｅｄ)／分散(ｄｉｓｔｒｉｂｕｔｅｄ)  ＶＲＢ(Ｖｉｒｔｕａｌ  Ｒｅｓｏｕｒｃｅ  Ｂｌｏｃｋ)割り当てフラグ：１ビット。フラグが０にセットされる。
【００８３】
−リソースブロック割り当て情報：
2020191649.tif 000006
ビット。全ビットが１にセットされる。
【００８４】
−プリアンブル(ｐｒｅａｍｂｌｅ)インデックス：６ビット
【００８５】
−ＰＲＡＣＨマスクインデックス：４ビット
【００８６】
−ＤＣＩフォーマット１ＡでＰＤＳＣＨコードワードのコンパクトスケジューリングのために残った全ビットが０にセットされる。
【００８７】
図１１は上りリンク−下りリンクのフレームタイミングの関係を例示する図である。
【００８８】
図１１を参照すると、上りリンク無線フレームｉの伝送は、該当下りリンク無線フレームより(ＮＴＡ＋ＮＴＡｏｆｆｓｅｔ)＊ＴＳ秒以前に始まる。ＬＴＥシステムの場合、０≦ＮＴＡ≦２０５１２であり、ＦＤＤでＮＴＡｏｆｆｓｅｔ＝０であり、ＴＤＤでＮＴＡｏｆｆｓｅｔ＝６２４である。ＮＴＡｏｆｆｓｅｔ値は基地局と端末が予め認知している値である。ランダム接続過程においてタイミングアドバンス命令によってＮＴＡが指示されると、端末はＵＬ信号(例えば、ＰＵＣＣＨ／ＰＵＳＣＨ／ＳＲＳ)の伝送タイミングを上記数式により調整する。ＵＬ伝送タイミングは１６ＴＳの倍数に設定される。タイミングアドバンス命令は現ＵＬタイミングに基づいてＵＬタイミングの変化を指示する。ランダム接続応答内のタイミングアドバンス命令(ＴＡ)は１１ビットであって、ＴＡは０，１，２，…，１２８２の値を表し、タイミング調整値(ＮＴＡ)はＮＴＡ＝ＴＡ＊１６である。その他の場合、タイミングアドバンス命令(ＴＡ)は６ビットであって、ＴＡは０，１，２，…，６３の値を表し、タイミング調整値(ＮＴＡ)はＮＴＡ ｎｅｗ＝ＮＴＡ ｏｌｄ＋(ＴＡ−３１)＊１６である。サブフレームｎで受信されたタイミングアドバンス命令は、サブフレームｎ＋６から適用される。ＦＤＤの場合、図示したように、ＵＬサブフレームｎの伝送時点はＤＬサブフレームｎの開始時点に基づいて繰り上がれる。反面、ＴＤＤの場合、ＵＬサブフレームｎの伝送時点はＤＬサブフレームｎ＋１の終了時点に基づいて繰り上がれる(図示せず)。
【００８９】
図１２はキャリア併合（Ｃａｒｒｉｅｒ  Ａｇｇｒｅｇａｔｉｏｎ、ＣＡ）通信システムを例示する。
【００９０】
図１２を参照すると、複数のＵＬ／ＤＬコンポーネントキャリア（Ｃｏｍｐｏｎｅｎｔ  Ｃａｒｒｉｅｒ、ＣＣ）はより広いＵＬ／ＤＬ帯域幅を支援することができる。ＣＣは周波数領域で互いに隣接するか隣接しない。各ＣＣの帯域幅は独立的に決定できる。ＵＬ  ＣＣの数とＤＬのＣＣの数が異なる非対称キャリアの併合も可能である。なお、制御情報は特定のＣＣを通じてのみ送受信できるように設定される。この特定のＣＣをプライマリーＣＣと称し、その他のＣＣをセカンダリーＣＣと称する。一例として、クロス−キャリアスケジューリング(ｃｒｏｓｓ-ｃａｒｒｉｅｒ  ｓｃｈｅｄｕｌｉｎｇ)(又はクロス−ＣＣスケジューリング)が適用される場合、下りリンク割り当てのためのＰＤＣＣＨはＤＬ  ＣＣ＃０に伝送され、該当ＰＤＳＣＨはＤＬ  ＣＣ＃２に伝送される。用語‘コンポーネントキャリア’は等価の他の用語(例えば、キャリア、セルなど)に代替できる。
【００９１】
クロス−ＣＣスケジューリングのために、ＣＩＦ(ｃａｒｒｉｅｒ  ｉｎｄｉｃａｔｏｒ  ｆｉｅｌｄ)が使用される。ＰＤＣＣＨ内にＣＩＦの存在又は不在のための設定が、半−静的に端末−特定(又は端末グループ−特定)に上位階層シグナリング(例えば、ＲＲＣシグナリング)によって可能になる(ｅｎａｂｌｅ)。以下、ＰＤＣＣＨ伝送の基本事項を整理する。
【００９２】
■  ＣＩＦディセーブルド（ｄｉｓａｂｌｅｄ）：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる
【００９３】
●  Ｎｏ  ＣＩＦ
【００９４】
■  ＣＩＦイネーブルド（ｅｎａｂｌｅｄ）：ＤＬ  ＣＣ上のＰＤＣＣＨはＣＩＦを用いて複数の併合されたＤＬ／ＵＬ  ＣＣのうち特定のＤＬ／ＵＬ  ＣＣ上のＰＤＳＣＨ又はＰＵＳＣＨリソースを割り当てることができる
【００９５】
●  ＣＩＦを有するように拡張されたＬＴＥ  ＤＣＩフォーマット
【００９６】
−  ＣＩＦ(設定された場合)は固定されたｘ−ビットフィールド(例えば、Ｘ＝３)
【００９７】
−  ＣＩＦ(設定された場合)の位置はＤＣＩフォーマットサイズに関係なく固定される。
【００９８】
ＣＩＦの存在時、基地局は端末側のＢＤ複雑度を低くするために、モニタリングＤＬ  ＣＣ(セット)を割り当てることができる。ＰＤＳＣＨ／ＰＵＳＣＨスケジューリングのために、端末は該当ＤＬ  ＣＣでのみＰＤＣＣＨの検出／復号を行う。また基地局はモニタリングＤＬ  ＣＣ(セット)を通じてのみＰＤＣＣＨを伝送できる。モニタリングＤＬ  ＣＣセットは端末−特定、端末−グループ−特定又はセル−特定の方式でセットされる。
【００９９】
図１３は複数のキャリアが併合された場合のスケジューリングを例示する。３個のＤＬ  ＣＣが併合され、ＤＬ  ＣＣＡがＰＤＣＣＨモニタリングＤＬ  ＣＣに設定された場合を例示する。 ＤＬ  ＣＣＡ〜ＣはサービングＣＣ、サービングキャリア、サービングセルなどと言える。ＣＩＦがディセーブルされた場合、それぞれのＤＬ  ＣＣはＬＴＥ  ＰＤＣＣＨ規則に従ってＣＩＦなしに自分のＰＤＳＣＨをスケジュールするＰＤＣＣＨのみを送信することができる(非クロス−ＣＣ  スケジューリング)。反面、端末−特定(又は端末−グループ−特定又はセル−特定)の上位階層シグナリングによってＣＩＦが可能になると、特定のＣＣ(例えば、ＤＬ  ＣＣ  Ａ)はＣＩＦを用いてＤＬ  ＣＣ  ＡのＰＤＳＣＨをスケジューリングするＰＤＣＣＨだけではなく、他のＣＣのＰＤＳＣＨをスケジューリングするＰＤＣＣＨも伝送できる(クロス−ＣＣ  スケジューリング)。反面、ＤＬ  ＣＣ  Ｂ／ＣではＰＤＣＣＨが伝送されない。
【０１００】
一方、ミリメートルウエーブ(ｍｍＷ)は信号の波長が短いので、同一の面積に多数のアンテナを設けることができる。例えば、３０ＧＨｚ帯域において波長は１ｃｍであるので、５ｂｙ５ｃｍのパネルに０．５λ(波長)間隔の２次元配列形態で総１００個のアンテナ要素を設けることができる。従って、ｍｍＷシステムでは、多数のアンテナ要素を使用してビーム形成(ＢＦ)利得を上げてカバレッジを増加させるか、或いはスループットを向上させることができる。
【０１０１】
これに関連して、アンテナ要素ごとに伝送パワー及び位相の調節ができるように、ＴＸＲＵ(ｔｒａｎｓｃｅｉｖｅｒ)を有しかつ周波数リソースごとに独立的なビーム形成を行うことができる。しかし、１００個の全てのアンテナ要素にＴＸＲＵを設けることは費用面で実効性が乏しい。従って、１つのＴＸＲＵに多数のアンテナ要素をマッピングし、アナログ位相シフターでビーム方向を調節する方式が考えられる。かかるアナログビーム形成方式は、全帯域において１つのビーム方向のみを形成できるので、周波数選択的なビーム形成が難しいという短所がある。デジタルＢＦ及びアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の連結方式によって差はあるが、同時に伝送可能なビームの方向はＢ個以下に制限される。
【０１０２】
図１４はアナログビーム形成を例示する図である。図１４を参照すると、送信器は時間によってビームの方向を変化して信号を伝送し(送信ビーム形成)、受信器も時間によってビームの方向を変化して信号を受信することができる(受信ビーム形成)。一定の時区間内において、(ｉ)送信ビームと受信ビームは時間によって同時にビームの方向が変化するか、(ii)送信ビームは固定した状態で受信ビームの方向のみが時間によって変化するか、或いは(iii)受信ビームは固定した状態で送信ビームの方向のみが時間によって変化することができる。
【０１０３】
一方、次世代ＲＡＴ(Ｒａｄｉｏ  Ａｃｃｅｓｓ  Ｔｅｃｈｎｏｌｏｇｙ)においては、データ伝送遅延(ｌａｔｅｎｃｙ)を最小化するために、自己完結(ｓｅｌｆ-ｃｏｎｔａｉｎｅｄ)サブフレームが考えられている。図１５は自己完結サブフレームの構造を例示している。図１５において、斜線領域はＤＬ制御領域を示し、黒色部分はＵＬ制御領域を示す。その他の領域はＤＬデータ伝送又はＵＬデータ伝送のために使用される。１つのサブフレーム内でＤＬ伝送とＵＬ伝送が順に行われるので、サブフレーム内でＤＬデータを出し、ＵＬ  ＡＣＫ／ＮＡＣＫを受けることができる。結果として、データ伝送エラーの発生時にデータ再伝送までにかかる時間を短縮させることにより、最終データ伝達の遅延を最小化することができる。
【０１０４】
構成／設定が可能な自己完結サブフレームタイプの例として、少なくとも以下の４つのタイプが考えられる。各々の区間は時間順に並んでいる。
【０１０５】
−ＤＬ制御区間＋ＤＬデータ区間＋ＧＰ(Ｇｕａｒｄ  Ｐｅｒｉｏｄ)＋ＵＬ制御区間
【０１０６】
−ＤＬ制御区間＋ＤＬデータ区間
【０１０７】
−ＤＬ制御区間＋ＧＰ＋ＵＬデータ区間＋ＵＬ制御区間
【０１０８】
−ＤＬ制御区間＋ＧＰ＋ＵＬデータ区間
【０１０９】
ＤＬ制御区間ではＰＤＦＩＣＨ、ＰＨＩＣＨ、ＰＤＣＣＨが伝送され、ＤＬデータ区間ではＰＤＳＣＨが伝送される。ＵＬ制御区間ではＰＵＣＣＨが伝送され、ＵＬデータ区間ではＰＵＳＣＨが伝送される。ＧＰは基地局と端末が送信モードから受信モードに転換される過程又は受信モードから送信モードに転換される過程で時間ギャップを提供する。サブフレーム内においてＤＬからＵＬに転換される時点の一部ＯＦＤＭシンボルがＧＰと設定される。
【０１１０】
実施例
【０１１１】
Ｎｅｗ  ＲＡＴ(ＮＲ)システム環境では、１つの端末にＣＡ併合される複数のセル間にも、セル(グループ)ごとに使用されるＯＦＤＭニューマロロジー(例えば、副搬送波スペーシング及びこれに基づくＯＦＤＭシンボル区間)及び適用されるビーム形成動作(例えば、ＴＸ／ＲＳ(アナログ又はハイブリッド)ビーム形成及びビーム掃引)などが異なって設定される。このようなＣＡ状況におけるＤＬ／ＵＬデータスケジューリング／伝送に関連したＨＡＲＱ動作及びＵＬ状況における電力制御方式、ビーム関連情報のシグナリング方法、端末−共通信号の伝送メカニズムなどに関する考慮が必要である。
【０１１２】
[１]  ＵＣＩを運ぶＵＬ制御チャネルの伝送方式
【０１１３】
ＮＲシステム環境でも端末の具現及び能力(ｉｍｐｌｅｍｅｎｔａｔｉｏｎ  ａｎｄ  ｃａｐａｂｉｌｉｔｙ)などによってＵＬ  ＣＡ動作が可能な端末と不可能な端末がともに存在する。またＵＬ  ＣＡ動作が可能な端末であっても、ＵＬカバレッジ及び電力制限(ｌｉｍｉｔａｔｏｎ)などの要因によって複数のセルを介したＵＬ伝送性能が低下することができる。よって、ＣＡ状況において以下の２つの(ＵＣＩを運ぶ)ＵＬ制御チャネルの伝送モードを考慮できる。具体的には、端末は、１）ＵＬ制御チャネルを特定の１つのセル(例えば、ＰＣｅｌｌ)のみを介して伝送するか、或いは２）ＵＬ制御チャネルを各々のセルごとに個々に伝送することができる。便宜上、ＤＬデータの受信に対するＨＡＲＱ−ＡＣＫ(即ち、Ａ／Ｎ)を主として説明するが、ＣＳＩ及びＳＲなどの他のＵＣＩに対しても同一の原理を適用できる。
【０１１４】
（Ａ）Ｍｏｄｅ  １：  ＵＬ  ｃｏｎｔｒｏｌ  ｃｈａｎｎｅｌ  ｏｎ  ＰＣｅｌｌ  ｏｎｌｙ
【０１１５】
このモードにおいて、端末は複数のセルにおけるＤＬデータの受信に対応する複数のＡ／Ｎフィードバック(以下、マルチ−セル  Ａ／Ｎ)を特定の１つのセル(例えば、ＰＣｅｌｌ)のみを介して伝送するように動作する。マルチ−セルＡ／Ｎは、Ａｌｔ  １）１つのＵＬ制御チャネルリソースのみを介して伝送されるか、或いはＡｌｔ  ２）複数のＵＬ制御チャネルリソースを介して伝送されるように設定される。Ａｌｔ  ２の場合、各々のＵＬ制御チャネルリソースの１つを介して、Ａｌｔ  ２−ａ）１つのセルにおけるＤＬデータ受信に対応するＡ／Ｎのみが伝送されるか、或いはＡｌｔ  ２−ｂ）１つ以上のセルで構成された(全体セル集合の一部に該当する)セルグループを介して受信されたＤＬデータに対する１つ以上のＡ／Ｎが伝送されるように設定される。従って、各々のセル(Ａｌｔ  ２−ａの場合)或いはセルグループ(Ａｌｔ  ２−ｂの場合)ごとに対応するＡ／Ｎ伝送用のＵＬ制御チャネルリソースが異なって設定／割り当てられる。これにより、Ａ／Ｎを運ぶＵＬ制御チャネルリソース情報をＤＬグラントを介して指示する動作を考慮した場合、各々のセル(Ａｌｔ  ２−ａの場合)或いはセルグループ(Ａｌｔ  ２−ｂの場合)に対してＤＬデータスケジューリングを行うＤＬグラントを介して互いに異なるＵＬ制御チャネルリソースの情報が指示されることができる。
【０１１６】
なお、複数のセルのＤＬ無線チャネルに対する複数のＣＳＩフィードバック(以下、マルチーセルＣＳＩ)の場合にも、特定の１つのセル(例えば、ＰＣｅｌｌ)を介してのみ伝送するように動作することができる。マルチ−セルＣＳＩは、Ａｌｔ  １）１つのＵＬ制御チャネルリソースのみを介して伝送されるか、或いはＡｌｔ  ２）複数のＵＬ制御チャネルリソースを介して伝送されるように設定される。Ａｌｔ  ２の場合、各々のＵＬ制御チャネルリソースの１つを介して、Ａｌｔ  ２−ａ）１つのセルに対する単一のＣＳＩのみが伝送されるか、或いはＡｌｔ  ２−ｂ）１つ以上のセルで構成された(全体セル集合の一部に該当する)セルグループに対する１つ以上のＣＳＩを伝送するように設定される。従って、各々のセル(Ａｌｔ  ２−ａの場合)或いはセルグループ(Ａｌｔ  ２−ｂの場合)ごとに対応するＣＳＩ伝送用のＵＬ制御チャネルリソースが異なって設定／割り当てられる。なお、ＳＲの場合にも、１つ或いは複数のＵＬ制御チャネルリソースを介して伝送されるように設定されることができる。具体的には、端末のＵＬバッファ状態を複数のビットで量子化(ｑｕａｎｔｉｚａｔｉｏｎ)することにより、マルチ−ビット形態の量子化されたＢＳＲ(Ｂｕｆｆｅｒ  Ｓｔａｔｕｓ  Ｒｅｐｏｒｔ)を単一或いは複数のＵＬ制御チャネルリソースを介して伝送する方法が考えられる。
【０１１７】
（ｂ）Ｍｏｄｅ  ２：  ＵＬ  ｃｏｎｔｒｏｌ  ｃｈａｎｎｅｌ  ｏｎ  ｅａｃｈ  Ｃｅｌｌ
【０１１８】
このモードでは、各々のセルにおけるＤＬデータ受信に対応するＡ／Ｎ(及び／又はＣＳＩ)フィードバックを該当セル自体を介して伝送するように動作する。
【０１１９】
Ｍｏｄｅ  １とＭｏｄｅ  ２のうちのいずれかに基づいてＵＬ制御チャネルの伝送を行うか(及び／又はＭｏｄｅ  １でＡｌｔ  １とＡｌｔ  ２のうちのいずれかに基づいてＵＬ制御チャネルの伝送を行うか)を、上位階層信号(例えば、ＲＲＣ信号)を通じて半−静的(ｓｅｍｉ−ｓｔａｔｉｃ)に設定するか、或いはＬ１シグナリング(例えば、ＤＬ制御チャネル(例えば、ＰＤＣＣＨ)伝送)を通じて動的に指示することができる。また、Ｍｏｄｅ  ２に基づくＵＬ制御チャネルの伝送動作(及び／又はＭｏｄｅ  １でＡｌｔ  ２に基づくＵＬ制御チャネルの伝送動作)の可能有無は、端末具現によって変化する端末能力に依存し、端末は該当能力情報を適当な時点(例えば、初期接続段階、ＲＲＣ連結段階)に基地局に報告することができる。
【０１２０】
一方、互いに異なるＵＣＩ(例えば、Ａ／ＮとＣＳＩ)に対してＵＬ制御チャネルの伝送Ｍｏｄｅ(或いはＭｏｄｅ  １におけるＡｌｔ方式)が同一に設定されるか、或いは各々ＵＣＩごとにＵＬ制御チャネルの伝送Ｍｏｄｅ(或いはＭｏｄｅ  １におけるＡｌｔ方式)が独立的に(異なって)設定されることができる。
【０１２１】
図１６はＭｏｄｅ  １によるＵＣＩの伝送過程を例示し、図１７はＭｏｄｅ  ２によるＵＣＩ伝送過程を例示している。図１６を参照すると、端末は複数のセルから複数のＤＬデータを受信し、複数のセルのＤＬデータ受信に対応する複数のＡ／Ｎフィードバック(以下、マルチ−セルＡ／Ｎ)を特定の１つのセル(例えば、ＰＣｅｌｌ)のみを介して伝送するように動作することができる。マツチ−セルＡ／Ｎは、Ａｌｔ  １）１つのＵＬ制御チャネルリソースのみを介して伝送されるか、或いはＡｌｔ  ２）複数のＵＬ制御チャネルリソースを介して伝送される。図１６はＡｌｔ  ２によってマルチ−セルＡ／Ｎを伝送する過程を例示している。図１７を参照すると、端末は複数のセルから複数のＤＬデータを受信し、各々のセルにおけるＤＬデータ受信に対応するＡ／Ｎ(及び／又はＣＳＩ)フィードバックを該当セル自体を介して伝送するように動作することができる。
【０１２２】
[２]  ＣＡ  ｓｃｈｅｍｅ  ｂｅｔｗｅｅｎ  ｄｉｆｆｅｒｅｎｔ  ＯＦＤＭ  ｎｕｍｅｒｏｌｏｇｉｅｓ
【０１２３】
ＮＲシステム環境では１つの端末に併合される複数のセルの間にＯＦＤＭニューマロロジー、例えば、副搬送波スペーシングＳＣＳ及びこれに基づくＯＦＤＭシンボルＯＳ区間が異なって設定される。これにより、１つの端末の観点ではＳＦ又はＴＴＩ(便宜上、ＳＦとする)の(絶対時間)区間が併合されたセルの間で異なって設定される。これを勘案して、異なるＳＣＳ及びＯＳ区間を有するセルの間のＣＡ状況におけるＤＬ／ＵＬデータ関連のＨＡＲＱ過程(例えば、ＳＣｅｌｌにおけるＤＬ／ＵＬデータ伝送がＰＣｅｌｌからクロス−ＣＣスケジューリングされる場合、ＳＣｅｌｌにおけるＤＬデータ受信に対応するＡ／ＮフィードバックがＰＣｅｌｌを介して伝送される場合)について以下のような動作方法が考えられる。同一のＳＣＳ及びＯＳ区間を有するセルの間のＣＡ状況において、ＳＦ或いはＴＴＩ区間がセルの間で異なって設定された状況でも同じ原理が適用される。
【０１２４】
（Ａ）Ｃｒｏｓｓ-ＣＣ  ｓｃｈｅｄｕｌｉｎｇ  ｂｅｔｗｅｅｎ  ｄｉｆｆｅｒｅｎｔ  ＳＣＳ
【０１２５】
図１８は大きいＳＣＳ(即ち、短いＯＳ区間、或いは短いＳＦ区間)を有するセルＸが小さいＳＣＳ(即ち、長いＯＳ区間、或いは長いＳＦ区間)を有するセルＹからスケジューリングされるように設定された場合を例示している。図１８を参照すると、セルＹの１つのＳＦからセルＸのＫ個(Ｋ＞１)のＳＦにおけるＤＬ／ＵＬデータ伝送がスケジューリングされるように設定される。セルＹの単一ＳＦとセルＸのＫ個のＳＦは同じ時間区間を有する。この場合、Ｏｐｔ  １)セルＹの(単一ＳＦ内)１つのＤＬ制御チャネル伝送領域を介してセルＸの互いに異なる(最大)Ｋ個のＳＦをスケジューリングするＤＬ／ＵＬグラントが同時伝送／検出されるか、Ｏｐｔ  ２)セルＹの単一ＳＦ内にＫ個のＤＬ制御チャネル伝送領域が独立的に構成／設定された状態で、各々の領域を介してセルＸにおける互いに異なる単一のＳＦをスケジューリングするＤＬ／ＵＬグラントが各々伝送／検出されることができる。
【０１２６】
図１９は小さいＳＣＳ(即ち、長いＯＳ、或いは長いＳＦ区間)を有するセルＸが大きいＳＣＳ(即ち、短いＯＳ、或いは短いＳＦ区間)を有するセルＹからスケジューリングされるように設定された場合を例示している。図１９を参照すると、セルＹのＮ個(Ｎ＞１)のＳＦ全体、或いはそのうちの特定の一部(例えば、１つ)のＳＦからセルＸの単一のＳＦにおけるＤＬ／ＵＬデータ伝送がスケジューリングされるように設定される。セルＹのＮ個のＳＦとセルＸの単一のＳＦは同じ時間区間を有する。この場合、Ｏｐｔ  １)セルＹのＮ個のＳＦ全体、或いはそのうちの特定の一部に該当する複数のＳＦ(即ち、ＳＦグループ)に属する１つのＳＦを介してセルＸの１つのＳＦをスケジューリングするＤＬ／ＵＬグラントが伝送／検出されるか(図１９(ａ))、Ｏｐｔ  ２)セルＹのＮ個のＳＦのうち、特定の１つのＳＦ(例えば、セルＸのＳＦ内の１番目ＯＳと時間が重なるセルＹのＳＦ)のみを介してセルＸの１つのＳＦをスケジューリングするＤＬ／ＵＬグラントが伝送／検出されることができる(図１９(ｂ))。Ｏｐｔ  １の場合、ＳＦグループ内でＤＬ／ＵＬグラントが伝送されるＳＦタイミングは変わることができる。またＳＦグループ内でＤＬ／ＵＬグラントは各々異なるＳＦを介して伝送される。これにより、端末はセルＹのＳＦグループに属した全てのＳＦ内のＤＬ制御チャネル伝送領域に対して時間順にブラインド復号動作を行うことができ、セルＹの１つのＳＦグループ内でセルＸに対するＤＬ／ＵＬグラントが全て検出された後の残りのＳＦ内のＤＬ制御チャネル伝送領域に対してはブラインド復号動作が省略される。
【０１２７】
（Ｂ）ＨＡＲＱ-ＡＣＫ  ｔｉｍｉｎｇ  ｆｏｒ  ＣＡ  ｗｉｔｈ  ｄｉｆｆｅｒｅｎｔ  ＳＣＳ
【０１２８】
ＮＲシステムのＣＡ状況では、ＤＬデータが伝送されたセル(例えば、ＳＣｅｌｌ)と該当ＤＬデータ受信に対応するＡ／Ｎフィードバックが伝送されるセル(例えば、ＰＣｅｌｌ)の間にＳＣＳ或いはＯＳ区間(或いはＴＴＩ長さ)が互いに異なって設定される。この場合、Ａ／Ｎタイミング(例えば、ＤＬデータ受信とＡ／Ｎ伝送の間の遅延)は、Ｏｐｔ  １)ＤＬデータ伝送ＳＣｅｌｌのＴＴＩ長さに基づいて設定されるか(例えば、Ａ／Ｎタイミング(候補セット)をＳＣｅｌｌ  ＴＴＩ長さの倍数に設定)、Ｏｐｔ  ２)Ａ／Ｎフィードバック伝送ＰＣｅｌｌのＴＴＩ長さに基づいて設定されることができる(例えば、Ａ／Ｎタイミング(候補セット)をＰＣｅｌｌ  ＴＴＩ長さの倍数に設定)。便宜上、Ｏｐｔ  １／２によって設定されたＡ／Ｎタイミングをｔｅｍｐ  Ａ／Ｎタイミングと称する。この時、Ｏｐｔ  １の場合に実際に適用されるＰＣｅｌｌ上のａｃｔｕａｌ  Ａ／Ｎタイミングは、ＳＣｅｌｌ上のＤＬデータの受信時点からｔｅｍｐ  Ａ／Ｎタイミング(例えば、Ｎ個のＳＣｅｌｌ  ＴＴＩに該当する時間)以後の時点と時間が重なる時点、或いは該当時点を含んでその後に存在する最も早いＰＣｅｌｌ上のＴＴＩ(或いは(Ａ／Ｎ用)ＵＬ制御チャネル伝送)区間に決定される。また、Ｏｐｔ  ２の場合に実際に適用されるＰＣｅｌｌ上のａｃｔｕａｌ  Ａ／Ｎタイミングは、ＳＣｅｌｌ上のＤＬデータ受信と時間が重なる時点、或いは該当時点を含んでその後に存在する最も早いＰＣｅｌｌ上のＴＴＩ(或いは(Ａ／Ｎ用)ＵＬ制御チャネル伝送)区間からｔｅｍｐ  Ａ／Ｎタイミング(例えば、Ｍ個のＰＣｅｌｌ  ＴＴＩに該当する時間)以後のＴＴＩ(或いは(Ａ／Ｎ用)ＵＬ制御チャネル伝送）区間に決定される。
【０１２９】
なお、ＵＬ  ＨＡＲＱの場合にも、ＵＬグランドが伝送されたセル(例えば、ＰＣｅｌｌ)と該当ＵＬグラントに対応するＵＬデータが伝送されるセル(例えば、ＳＣｅｌｌ)の間にＳＣＳ或いはＯＳ区間(或いはＴＴＩ長さ)が互いに異なって設定される。この場合、ＨＡＲＱタイミング(例えば、ＵＬグラント受信とＵＬデータ伝送の間の遅延)は、Ｏｐｔ  １）ＵＬグラント伝送ＰＣｅｌｌのＴＴＩ長さに基づいて設定されるか(例えば、ＨＡＲＱタイミング(候補セット)をＰＣｅｌｌ  ＴＴＩ長さの倍数に設定)、Ｏｐｔ  ２）ＵＬデータ伝送ＳＣｅｌｌのＴＴＩ長さに基づいて設定される形態である(例えば、ＨＡＲＱタイミング(候補セット)をＳＣｅｌｌ  ＴＴＩ長さの倍数に設定)。便宜上、Ｏｐｔ  １／２によって設定されたＨＡＲＱタイミングをｔｅｍｐ  ＨＡＲＱタイミングと称する。この時、Ｏｐｔ  １の場合に実際に適用されるＳＣｅｌｌ上のａｃｔｕａｌ  ＨＡＲＱタイミングは、ＰＣｅｌｌ上のＵＲグラントの受信時点からｔｅｍｐ  ＨＡＲＱタイミング(例えば、Ｋ個のＰＣｅｌｌ  ＴＴＩに該当する時間)以後の時点と時間が重なる時点、或いは該当時点を含んでその後に存在する最も早いＳＣｅｌｌ上のＴＴＩ(或いは、ＵＬデータチャネル伝送)区間に決定される。また、Ｏｐｔ  ２の場合に実際に適用されるＳＣｅｌｌ上のａｃｔｕａｌ  ＨＡＲＱタイミングは、ＰＣｅｌｌ上のＵＬグラント受信時点と時間が重なる時点、或いは該当時点を含んでその後に存在する最も早いＳＣｅｌｌ上のＴＴＩ(或いは(ＵＬデータチャネル伝送)区間からｔｅｍｐ  ＨＡＲＱタイミング(例えば、Ｌ個のＳＣｅｌｌ  ＴＴＩに該当する時間)以後のＴＴＩ(或いはＵＬデータチャネル伝送）区間に決定される。
【０１３０】
（Ｃ）ＵＬ  ＴＡ(Ｔｉｍｉｎｇ  Ａｄｖａｎｃｅｍｅｎｔ)  ｍａｎａｇｅｍｅｎｔ  ｂｅｔｗｅｅｎ  ｄｉｆｆｅｒｅｎｔ  ＳＣＳ
【０１３１】
異なるＳＣＳで動作するセル間のＣＡ状況において、ＵＬ同期を確立するためのＴＡ適用を考慮する場合、ＳＣＳによってサンプルタイム及びＣＰ長さも変化するので、ＳＣＳが異なるセルには同じＴＡ値を適用することが難しいか或いは不可能である。従って、同一の１つのＴＡ値を適用できる１つ以上のセル集合をＴＡＧ(Ｔｉｍｉｎｇ  Ａｄｖａｎｃｅ  Ｇｒｏｕｐ)と定義すると、１つのＴＡＧには同じＳＣＳで動作するセルのみが属するように設定される。即ち、異なるＳＣＳで動作するセルは同一のＴＡＧに属しないように設定される。さらに１つのＴＡＧには同一のＳＣＳ、また同一のＣＰ長さ(或いはセル間のＣＰ長さの差が特定水準以下)で動作するセルのみが属するように設定され、異なるＳＣＳ又は異なるＣＰ長さ(或いはセル間のＣＰ長さの差が特定の水準を超える)で動作するセルが同一のＴＡＧに属しないように設定される。又は、１つのＴＡＧにはセル間のＳＣＳ値の差(及び／又はセル間のＣＰ長さの差)が特定の水準以下であるセルのみが属するように設定され、セル間のＳＣＳ値の差(及び／又はセル間のＣＰ長さの差)が特定の水準を超えるセルが同一のＴＡＧに属しないように設定される。
【０１３２】
他の方法として、特にＴＡＧの設定制約がない状態で１つのＴＡＧに異なるＳＣＳで動作するセルが属するように設定された場合、ＴＡ値の決定のためのランダム接続信号の伝送は、該当ＴＡＧに属するセルのうち、最大ＳＣＳ(即ち、最小サンプルタイム及びＣＰ長さ)で動作する(或いは、ランダム接続信号のＳＣＳが最大値に設定された)セルを介してのみ行われるように動作／設定される。ＴＡＧ内に最大のＳＣＳで動作する(或いは、ランダム接続信号のＳＣＳが最大値に設定された)セルが複数個ある場合は、同一のＴＡＧ内において最大のＳＣＳで動作する(或いはランダム接続信号のＳＣＳが最大値に設定された)セルのうち、最小ＣＰ長さが設定されたセルを介してのみランダム接続信号の伝送が行われるように動作／設定される。
【０１３３】
一方、特定のセル集合に(属した複数のセル)に対するＵＣＩ(例えば、Ａ／Ｎ、ＣＳＩ)を運ぶＵＬ制御チャネル(或いはＵＬデータチャネル)の伝送が該当セル集合内の特定の(或いは任意の)セルを介してのみ行われるようにセルグループ(ＵＣＩ  Ｇｒｏｕｐ、ＵＣＩＧ)が設定される。即ち、ＵＣＩＧ内の特定のセルを介してのみ該当ＵＣＩＧに属したセルに対するＵＣＩを運ぶＵＬ制御チャネルの伝送が可能になるように設定される。これに関連して、上述したＴＡＧ(及びランダム接続信号の伝送セル)と同じ条件を適用してＵＣＩＧ(及びＵＬ制御チャネル(ＵＣＩ)伝送セル)が設定される。又は、特定のセル集合に(属したセルに)対するＤＣＩ(例えば、ＤＬ／ＵＬスケジューリンググラント)を運ぶＤＬ制御チャネル伝送が該当セル集合内のセルを介してのみ行われるようにセルグループ(ＤＣＩ  Ｇｒｏｕｐ、ＤＣＩＧ)が設定される。即ち、ＵＣＩＧ内のセル間でのみクロス−ＣＣスケジューリングが可能であるように設定される。これに関連して、上述したＴＡＧ(及びランダム接続シグナルの伝送セル)と同じ条件を適用してＤＣＩＧ(及びＤＬ制御チャネル(ＤＣＩ)伝送セル)が設定される。
【０１３４】
[３]  Ａｎａｌｏｇ  ｂｅａｍ−ｆｏｒｍｉｎｇ  ｃｏｎｓｉｄｅｒｉｎｇ  ＣＡ  ｓｃｈｅｍｅ
【０１３５】
特定の周波数帯域(例えば、高キャリア周波数)で動作するＮＲシステムの場合、ｍｍＷの特性に基づいて基地局(及び／又は端末)でＤＬ／ＵＬ信号の送受信に対するＴＸ／ＲＸ(アナログ又はハイブリッド)ビーム形成を行う方式で動作する可能性が高い。一例として、基地局はビーム方向が互いに異なる複数の特定の(端末−共通)信号(例えば、同期信号或いは参照信号)を一定区間内に伝送し、端末は受信した特定の信号(即ち、ビーム方向)の受信品質／状態情報、即ち、ＢＳＩ(Ｂｅａｍ  Ｓｔａｔｅ  Ｉｎｆｏｒｍａｔｉｏｎ)及び／又は自分に最適な(即ち、よい品質の)好みのビーム情報(例えば、ビームＩＤ又はインデックス)を基地局に報告することができる。これに基づいて、ビーム形成に基づくＤＬ／ＵＬ信号の送受信動作が行われる。ここで、ビームＩＤ(又はインデックス)は互いに異なるアンテナポートの組み合わせで形成されたビーム(方向)を区分するインデックスを意味する。なお、特定の周波数帯域(例えば、低キャリア周波数)で動作するＮＲシステムではビーム形成が適用されないので、既存のシステムのように動作する可能性がある。これにより、ＮＲシステム環境でビーム形成(ＢＦ)を適用するセル(即ち、ＢＦセル)と適用しないセル(非ＢＦセル)が１つの端末に同時に併合されることができる。
【０１３６】
（Ａ）ＣＡ  ｂｅｔｗｅｅｎ  ｎｏｎ-ＢＦ  ｃｅｌｌ  ａｎｄ  ＢＦ  ｃｅｌｌ
【０１３７】
非−ＢＦセルとＢＦセルの間のＣＡ状況においては、非−ＢＦセルがＢＦセルに比べて相対的に優れた信号伝送信頼度(ｒｅｌｉａｂｉｌｉｔｙ)及びカバレッジを支援する可能性がある。これを考慮して、特定(例えば、重要度が高い)情報タイプに対しては非−ＢＦセル(該当セル上のＵＬデータ／制御チャネル)のみを介して(或いは非−ＢＦセル上のＵＬデータ／制御チャネルを(ＢＦセルより)優先的に選択して)伝送を行うように動作する。ここで、特定の情報タイプは基地局からのＲＲＣ構成に対する応答メッセージ、基地局からのＭＡＣコマンドに対する応答メッセージ、(イベント−トリガ及び周期方式に基づく)ＭＡＣ信号を使用した各種報告(例えば、電力ヘッドルーム報告、バッファー状態報告)、ＲＲＭ(Ｒａｄｉｏ  Ｒｅｓｏｕｒｃｅ  Ｍａｎａｇｅｍｅｎｔ)測定関連報告のうちいずれか１つを含む。
【０１３８】
一方、１つのＤＣＩＧには非−ＢＦセルのみが属するように、或いはＢＦセルのみが属するように設定され、非−ＢＦセルとＢＦセルが同一のＤＣＩＧに属しないように設定される。又は、特にＤＣＩＧの構成に制約がなく、１つのＤＣＩＧに非−ＢＦセルとＢＦセルがいずれも属するように設定された場合は、ＤＬ制御チャネル(ＤＣＩ)の伝送は、非−ＢＦセルを介してのみ行われるように動作／設定される。またこの動作のために１つのＤＣＩＧには少なくとも１つの非−ＢＦセルが属する。同様に、１つのＵＣＩＧには非−ＢＦセルのみが属するように、或いはＢＦセルのみが属するように設定され、非−ＢＦセルとＢＦセルが同一のＵＣＩＧに属しないように設定される。なお、この場合にも、特にＵＣＩＧの構成に制約がなく、１つのＵＣＩＧに非−ＢＦセルとＢＦセルがいずれも属するように設定された場合は、ＵＬ制御チャネル(ＵＣＩ)の伝送は、非−ＢＦセルを介してのみ行われるように動作／設定される。またこの動作のために１つのＵＣＩＧには少なくとも１つの非−ＢＦセルが属する。さらに、１つのＴＡＧには非−ＢＦセルのみが属するように、或いはＢＦセルのみが属するように設定され、非−ＢＦセルとＢＦセルが同一のＴＡＧに属しないように設定される。なお、この場合にも、特にＴＡＧの構成に制約がなく、１つのＴＡＧに非−ＢＦセルとＢＦセルがいずれも属するように設定された場合は、ランダム接続信号の伝送は、非−ＢＦセルを介してのみ行われるように動作／設定される。またこの動作のために１つのＴＡＧには少なくとも１つの非−ＢＦセルが属する。
【０１３９】
また、ＢＦセルに対するＢＳＩフィードバックを含んで基地局にビームＩＤ変更を要請する信号、基地局にＴＸ／ＲＸビーム不一致状態を報告する信号、或いはＢＦセルに対するＢＳＩ又はＢＲＩ(Ｂｅａｍ  Ｒｅｆｉｎｅｍｅｎｔ  Ｉｎｆｏｒｍａｔｉｏｎ)フィードバック伝送用のＵＬリソースを要請する信号、基地局にビーム測定／微調整(ｒｅｆｉｎｅｍｅｎｔ)用のＤＬ  ＲＳ伝送を要請する信号などを、端末が非−ＢＦセル(該当セル上のＵＬデータ／制御チャネル)を介して基地局に伝送することができる(便宜上、このような用途の信号を‘ビーム関連ＳＲ’と称する)。また端末は、ＢＦセルを介して伝送されたビーム測定／微調整(ｒｅｆｉｎｅｍｅｎｔ)用のＤＬ  ＲＳ伝送に対する測定の結果を非−ＢＦセルを介して基地局に報告することができる。また端末は、ＢＦセルを介してＤＬ制御チャネル(例えば、ＤＬ／ＵＬデータチャネルをスケジューリングするＤＬ／ＵＬグラント信号など)が検出されたか否かを非−ＢＦセルを介して基地局にシグナリングすることができる。一例として、特定時間区間の間にＢＦセルを介してＤＬ制御チャネルが検出されたか否か、又はどのくらい検出されたかの情報を非−ＢＦセルを介して基地局にシグナリングする。端末がＢＦセルで動作する時、無線チャネルの状況によってＴＸ／ＲＸビームにミスマッチが発生することができ、かかる状態にあるＢＦセルを介してはＤＬ／ＵＬ信号(特に、制御チャネル)の伝送が不安定であるためである。
【０１４０】
なお、上記の提案動作は、非−ＢＦセルとＢＦセルの間のＣＡ状況に限られない。一例として、非−ＢＦセルとＢＦセルを各々ＰＣｅｌｌとＳＣｅｌｌ又はセル１とセル２に代替した状態で同じ動作が適用されることができる。一般的には、非−ＢＦセルとＢＦセルを互いに異なるセル１とセル２又は同一の１つのセルに見なした状態で提案動作を適用することは可能である。
【０１４１】
（Ｂ）Ａｃｔｉｖａｔｉｏｎ/ｄｅａｃｔｉｖａｔｉｏｎ  ｏｆ  ＢＦ  ｃｅｌｌ
【０１４２】
既存の非−ＢＦセルとは異なり、ＢＦセルの場合は、非活性化区間の間に無線チャネルの変化などによって(好みの)ビームＩＤが非活性化以前と比較して変化することができる。これを考慮して、端末はＢＦセルに対しては活性化後から特定信号(例えば、同期信号或いは参照信号)の受信によりＢＳＩの測定及び(好みの)ビームサーチを行うように(及び該当ＢＳＩ及び(好みの)ビームＩＤを基地局に報告するように)動作することができる。なお、これらの動作が完了するまで端末は該当ＢＦセルにおける他のＤＬ／ＵＬ信号の送受信動作を行わない。
【０１４３】
他の方法として、ＢＦセルに対しては非活性化の間にも特定信号(例えば、同期信号或いは参照信号)の受信によりビームトラッキング(例えば、ＢＳＩ測定、(好みの)ビームサーチ)を行うように動作できる。これにより、ＢＦセルの活性化の間(例えば、活性化メッセージに対する応答メッセージを介して)端末は(最近)ＢＳＩ及び(好みの)ビームＩＤを基地局に報告するように動作できる。なお、かかる動作を勘案して、基地局はＢＦセルに対する活性化メッセージを通じて端末にＢＳＩ測定用のＲＳ伝送をトリガするか及び／又は端末にＢＳＩの測定結果を報告するように指示できる。
【０１４４】
なお、非−ＢＦセルの場合、活性化区間の間に正常的にＵＬ／ＤＬ信号の送受信動作を行い、非活性化区間の間にはＵＬ／ＤＬ信号の送受信動作を行わない。例えば、非−ＢＦセルは非活性化区間の間にＤＬ物理チャネル(例えば、ＰＤＣＣＨ、ＰＨＩＣＨなど)を受信せず、ＣＳＩ／ＳＲＳ送信動作を行わない。
【０１４５】
[４]  様々なＣＡ状況におけるＵＬ電力の制御
【０１４６】
互いに異なるＳＣＳ(又は互いに異なるＯＳ区間)で動作するセルの間のＣＡ状況において、端末の最大電力の制限にかかることができる。例えば、同じ時点での(基地局が設定した)ＵＬチャネル／信号電力の総合が端末の最大電力を超えることができる。この場合、小さいＳＣＳ(又は長いＯＳ区間)で構成／設定された(セルの)ＵＬチャネル／信号電力を優先して減らすか、及び／又は大きいＳＣＳ(又は短いＯＳ区間)で構成／設定された(セルの)ＵＬチャネル／信号に最小保障電力を付与する方式が考えられる。例えば、特定のＵＬチャネル／信号に対して最小保障電力をＧ−ｐｏｗｅｒと定義し、基地局が設定した電力をＣ−ｐｏｗｅｒと定義すると、端末の最大電力の制限にかかった状態で電力スケーリング過程を通じて算出される該当特定のＵＬチャネル／信号の最終電力Ｓ−ｐｏｗｅｒは、ｍｉｎ{Ｇ−ｐｏｗｅｒ、Ｃ−ｐｏｗｅｒ}以上の値のみに決定される。即ち、Ｓ−ｐｏｗｅｒが有し得る最小値がｍｉｎ{Ｇ−ｐｏｗｅｒ、Ｃ−ｐｏｗｅｒ}に制限される。なお、非−ＢＦセルとＢＦセルの間のＣＡ状況において、端末の最大電力の制限にかかった場合は、非−ＢＦセルのＵＬチャネル／信号電力を優先して減らすか、及び／又はＢＦセルのＵＬチャネル／信号にＧ−ｐｏｗｅｒを付与する方式が考えられる。
【０１４７】
なお、互いに異なるシンボルの数で構成された(又は互いに異なる時間区間を有する)ＵＬチャネル／信号(例えば、ＵＬデータ／制御チャネル、ＵＬサウンディング信号)の同時伝送状況において、端末の最大電力の制限にかかった場合、多いシンボルの数で構成された(又は長い時間区間を有する)ＵＬチャネル／信号電力を優先して減らすか、及び／又は少ないシンボルの数で構成された(又は短い時間区間を有する)ＵＬチャネル／信号に最小保障電力を付与する方式が考えられる。なお、異なるＵＬ変調方式(例えば、ＯＦＤＭ又はＤＦＴに基づくＳＣ−ＦＤＭ)が適用されたＵＬチャネル／信号(例えば、ＵＬデータ／制御チャネル、ＵＬサウンディング信号)の同時伝送の状況において、端末の最大電力の制限にかかった場合は、ＯＦＤＭ方式が適用されたＵＬチャネル／信号電力を優先して減らすか、及び／又はＳＣ−ＦＤＭ方式が適用されたＵＬチャネル／信号に最小保障電力を付与する方式が考えられる。
【０１４８】
この提案方式は、ＵＬチャネル／信号の間の電力スケーリング優先順位(例えば、ランダム接続信号＞制御チャネル＞データチャネル＞サウンディング信号の順に電力を減らす)及びＵＣＩタイプ間の電力スケーリング優先順位(例えば、Ａ／Ｎ＞ＳＲ＞ＣＳＩ、Ａ／Ｎ＝ＳＲ＞ＣＳＩ或いはＳＲ＞Ａ／Ｎ＞ＣＳＩの順に電力を減らす)を考慮して適用できる。一例として、先ず上記提案方式を適用した後、チャネル／信号の間及びＵＣＩタイプの間の優先順位によって電力スケーリングを行うか、或いは先ずチャネル／信号の間及びＵＣＩタイプの間の優先順位によって電力スケーリングを行った後、同一の優先順位を有するチャネル／信号の間及びＵＣＩタイプの間に上記提案方式を適用する方式が考えられる。
【０１４９】
一方、(ＣＡの設定有無に関係なく)ビーム関連ＳＲに対しては、他のＵＣＩタイプ(例えば、Ａ／Ｎ、ＣＳＩ)より高い電力スケーリング優先順位が付与される。これにより、端末の最大電力の制限にかかった場合、ビーム関連ＳＲ信号に比べて他のＵＣＩタイプの信号電力を先に減らすことができる。具体的には、ＵＬデータ伝送リソースを要請する一般データＳＲにはＡ／Ｎより低い(或いはＡ／Ｎと同一の)電力スケーリング優先順位が付与される反面、ビーム関連ＳＲにはＡ／Ｎより高い電力スケーリング優先順位が付与されることができる。また、一般データＳＲにはランダム接続信号より低い電力スケーリング優先順位が付与される反面、ビーム関連ＳＲにはランダム接続信号より高い電力スケーリング優先順位が付与されることができる。一方、(ランダム接続状況における過渡な競争及び混雑を防止するために)初期接続或いはアイドル(ｉｄｌｅ)モードで端末が選択／伝送可能な(競争基盤の)ランダム接続信号のリソースと連結モードで(例えば、スケーリング要請を目的として)端末が選択／伝送可能な(競争基盤の)ランダム接続信号のリソースは、時間／周波数／コード上で区分されるように設定できる。
【０１５０】
[５]  非−スタンド−アローン  ＳＣｅｌｌを含むＣＡ方式(初期接続しないセル)
【０１５１】
ＮＲシステム環境において、ＣＡを構成するＳＣｅｌｌはスタンドアローン形態或いは非−スタンドアローン形態で動作する。このうち、非−スタンドアローンＳＣｅｌｌが含まれたＣＡ状況では該当ＳＣｅｌｌにおける特定(端末−共通)信号(例えば、同期信号、システム情報、参照信号など)の伝送が、１）基地局により非周期的にトリガされるか、或いは２）端末から非周期的に要請される方式で行われる。これを考慮して、特定信号の伝送が可能な(潜在的(ｐｏｔｅｎｔｉａｌ)又は候補(ｃａｎｄｉｄａｔｅ))タイミング及び周期(ｐｅｒｉｏｄ)を予め設定しておくことができる。その後、任意の時点に特定の信号に対する基地局のトリガ信号或いは端末の要請信号の伝送があった場合、トリガ／要請信号の伝送時点(或いはここに特定の時間オフセットを追加した時点)から最も近いタイミング及び周期を通じてトリガ／要請された特定の信号を伝送するか、或いはこれに対する受信動作を行う方式が考えられる。特定の信号に対する基地局のトリガ信号或いは端末の要請信号は、スタンド−アローン形態で動作するセル(例えば、ＰＣｅｌｌ)を介して伝送される。
【０１５２】
一方、スタンド−アローンのセルの場合にも、該当セルにおける特定(端末−共通)信号(例えば、同期信号、一部システム情報(例えば、初期接続段階／過程に必要な情報(例えば、ランダム接続信号／リソース構成)を除いたシステム情報)、参照信号など)の伝送が、基地局又は端末から非周期的にトリガ／要請される方式で行われ、この場合にも上記提案方式が同様に適用される。より一般的には、上記提案方式は、スタンドーアローンセルと非−スタンドアローンセルの間のＣＡ状況のみに限られず、スタンドーアローンセルと非−スタンドアローンセルを各々ＰＣｅｌｌとＳＣｅｌｌ、或いは各々セル１とセル２に代替した状態でも同じ動作を適用することができる。さらに一般的には、スタンドーアローンセルと非−スタンドアローンセルを互いに異なるセル１とセル２、或いは同一の１つのセルに見なした状態で提案方式を適用することもできる。
【０１５３】
なお、１つのＤＣＩＧにはスタンド−アローンセル(即ち、ＳＡ−ｃｅｌｌ)のみが属するか、或いは非−スタンドアローンセル(即ち、ＮＳＡ−ｃｅｌｌ)のみが属するように設定できる。即ち、ＳＡ−ｃｅｌｌとＮＳＡ−ｃｅｌｌが同一のＤＣＩＧに属しないように設定されることができる。又は特にＤＣＩＧの構成に制約がなく、１つのＤＣＩＧにＳＡ−ｃｅｌｌとＮＳＡ−ｃｅｌｌがいずれも属するように設定することもできる。後者の場合、ＤＬ制御チャネル(ＤＣＩ)の伝送は、ＳＡ−ｃｅｌｌを介してのみ行われるように動作／設定でき、この動作のために１つのＤＣＩＧには少なくとも１つのＳＡ−ｃｅｌｌが属するように設定される。同様に、１つのＤＣＩＧにはＳＡ−ｃｅｌｌのみが属するか、或いはＮＳＡ−ｃｅｌｌのみが属するように設定できる。即ち、ＳＡ−ｃｅｌｌとＮＳＡ−ｃｅｌｌが１つのＵＣＩＧに属しないように設定されることができる。又は特にＤＣＩＧの構成に制約がなく、１つのＤＣＩＧにＳＡ−ｃｅｌｌとＮＳＡ−ｃｅｌｌがいずれも属するように設定された場合、ＵＬ制御チャネル(ＵＣＩ)の伝送は、ＳＡ−ｃｅｌｌを介してのみ行われるように動作／設定でき、この動作のために１つのＵＣＩＧには少なくとも１つのＳＡ−ｃｅｌｌが属するように設定される。さらに、１つのＴＡＧにはＳＡ−ｃｅｌｌのみが属するか、或いはＮＳＡ−ｃｅｌｌのみが属するように設定できる。即ち、ＳＡ−ｃｅｌｌとＮＳＡ−ｃｅｌｌが同一のＴＡＧに属しないように設定されることができる。又は特にＴＡＧの構成に制約がなく、１つのＴＡＧにＳＡ−ｃｅｌｌとＮＳＡ−ｃｅｌｌがいずれも属するように設定することもできる。後者の場合、ランダム接続信号の伝送は、ＳＡ−ｃｅｌｌを介してのみ行われるように動作／設定でき、この動作のために１つのＴＡＧには少なくとも１つのＳＡ−ｃｅｌｌが属するように設定される。
【０１５４】
また、単一のセル或いはキャリアを複数のサブバンドに分け、各々のサブバンドの間に異なるサイズのＳＣＳ或いはＴＴＩを設定した状態で、端末が複数のサブバンド上で同時に動作するか、又はサブバンド間をスイッチングする方式で動作する状況でも本発明における全ての提案方法を(例えば、この発明におけるセルをサブバンドに代替して)同様に適用できる。
【０１５５】
図２０は本発明に実施例に適用可能な基地局及び端末を例示する。
【０１５６】
図２０を参照すると、無線通信システムは、基地局（ＢＳ）１１０及び端末（ＵＥ）１２０を含む。リレーを含むシステムの場合、基地局又は端末はリレーに取り替えられることができる。
【０１５７】
基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。
【０１５８】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０１５９】
本文書で、本発明の実施例は主に端末と基地局間のデータ送受信関係を中心として説明した。本文書で、基地局によって遂行されると説明した特定の動作は場合によってはその上位ノード（ｕｐｐｅｒ  ｎｏｄｅ）によって遂行することができる。すなわち、基地局を含む複数のネットワークノード（ｎｅｔｗｏｒｋ  ｎｏｄｅｓ）でなるネットワークで端末との通信のために行われる多様な動作は基地局又は基地局以外の他のネットワークノードによって遂行することができるのは明らかである。基地局は、固定国（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に取り替えることができる。また、端末はＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられることができる。
【０１６０】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１６１】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータをやり取りすることができる。
【０１６２】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１６３】
本発明は無線移動通信システムの端末機、基地局またはその他の装備に使用できる。
【図１】
2020191649.tif 000007
【図２】
2020191649.tif 000008
【図３】
2020191649.tif 000009
【図４】
2020191649.tif 000010
【図５】
2020191649.tif 000011
【図６】
2020191649.tif 000012
【図７】
2020191649.tif 000013
【図８】
2020191649.tif 000014
【図９】
2020191649.tif 000015
【図１０】
2020191649.tif 000016
【図１１】
2020191649.tif 000017
【図１２】
2020191649.tif 000018
【図１３】
2020191649.tif 000019
【図１４】
2020191649.tif 000020
【図１５】
2020191649.tif 000021
【図１６】
2020191649.tif 000022
【図１７】
2020191649.tif 000023
【図１８】
2020191649.tif 000024
【図１９】
2020191649.tif 000025
【図２０】
2020191649.tif 000026
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
無線通信システムにおいて基地局（ＢＳ）が通信を実行する方法であって、
第１の副搬送波スペーシングに関連した期間をそれぞれが有する複数の第１の時間区間の中のｎ番目の第１の時間区間でＰＤＣＣＨ（Ｐｈｙｓｉｃａｌ  Ｄｏｗｎｌｉｎｋ  Ｃｏｎｔｒｏｌ  Ｃｈａｎｎｅｌ）信号を送信するステップと、
第２の副搬送波スペーシングに関連した期間をそれぞれが有する複数の第２の時間区間の中のｍ番目の第２の時間区間を決定するステップであって、前記ｍ番目の第２の時間区間は、（ｉ）前記ＰＤＣＣＨ信号の搬送波指示情報と、（ｉｉ）タイミングオフセットディレイに関連するタイミングオフセット情報とに関連する、ステップと、
前記ｍ番目の第２の時間区間でＰＵＳＣＨ（Ｐｈｙｓｉｃａｌ  Ｕｐｌｉｎｋ  Ｓｈａｒｅｄ  Ｃｈａｎｎｅｌ）信号を受信するステップとを含み、
前記ｍ番目の第２の時間区間は、前記ＰＤＣＣＨ信号を送信することに関連したｋ番目の第２の時間区間の後の、前記タイミングオフセットディレイであると決定され、
前記複数の第１の時間区間のそれぞれの区間は、前記複数の第２の時間区間のそれぞれの区間より長く、前記第２の副搬送波スペーシングより小さい前記第１の副搬送波スペーシングに基づき、前記ｋ番目の第２の時間区間は、前記ＰＤＣＣＨ信号が送信されたｎ番目の第１の時間区間と時間が重複する複数の第２の時間区間の中の最も早い一つである、方法。
【請求項２】
前記ＰＤＣＣＨ信号は前記無線通信システムの中の第１セルを通して送信され、
前記ＰＵＳＣＨ信号は前記第１セルと異なる前記無線通信システムの中の第２セルを通して受信される、請求項１に記載の方法。
【請求項３】
前記ＰＤＣＣＨ信号が前記第１セルに関連した第１周波数帯域で送信され、
前記ＰＵＳＣＨ信号が前記第２セルに関連した第２周波数帯域で受信される、請求項２に記載の方法。
【請求項４】
前記ＰＤＣＣＨ信号はスケジューリング情報を含み、
前記ＰＵＳＣＨ信号は、前記ＰＤＣＣＨ信号で送信された前記スケジューリング情報に基づいて前記ｍ番目の第２の時間区間で受信される、請求項１に記載の方法。
【請求項５】
前記タイミングオフセットディレイは、前記複数の第２の時間区間のターム（ｔｅｒｍｓ）に現れる、請求項１に記載の方法。
【請求項６】
前記複数の第１の時間区間のそれぞれは、複数の第１のＯＦＤＭ（ｏｒｔｈｇｏｎａｌ  ｆｒｅｑｕｅｎｃｙ  ｄｉｖｉｓｉｏｎ  ｍｕｌｔｉｐｌｅｘｅｄ）されたシンボルを含み、
前記複数の第２の時間区間のそれぞれは、複数の第２のＯＦＤＭされたシンボルを含む、請求項１に記載の方法。
【請求項７】
無線通信システムにおいて通信を実行する基地局（ＢＳ）であって、
少なくとも一つの無線（ＲＦ）モジュールと、
少なくとも一つのプロセッサと、
前記少なくとも一つのプロセッサと動作的に結合可能であり、実行された時、前記少なくとも一つのプロセッサに以下の動作を実行させる命令（ｉｎｓｔｒｕｃｔｉｏｎｓ）を格納する少なくとも一つのコンピュータメモリとを備え、
前記少なくとも一つのプロセッサは、
第１の副搬送波スペーシングに関連した期間をそれぞれが有する複数の第１の時間区間の中のｎ番目の第１の時間区間でＰＤＣＣＨ（Ｐｈｙｓｉｃａｌ  Ｄｏｗｎｌｉｎｋ  Ｃｏｎｔｒｏｌ  Ｃｈａｎｎｅｌ）信号を送信し、
第２の副搬送波スペーシングに関連した期間をそれぞれが有する複数の第２の時間区間の中のｍ番目の第２の時間区間を決定し、前記ｍ番目の第２の時間区間は、（ｉ）前記ＰＤＣＣＨ信号の搬送波指示情報と、（ｉｉ）タイミングオフセットディレイに関連するタイミングオフセット情報とに関連し、
前記ｍ番目の第２の時間区間でＰＵＳＣＨ（Ｐｈｙｓｉｃａｌ  Ｕｐｌｉｎｋ  Ｓｈａｒｅｄ  Ｃｈａｎｎｅｌ）信号を受信し、
前記ｍ番目の第２の時間区間は、前記ＰＤＣＣＨ信号を送信することに関連したｋ番目の第２の時間区間の後の、前記タイミングオフセットディレイであると決定され、
前記複数の第１の時間区間のそれぞれの区間は、前記複数の第２の時間区間のそれぞれの区間より長く、前記第２の副搬送波スペーシングより小さい前記第１の副搬送波スペーシングに基づき、前記ｋ番目の第２の時間区間は、前記ＰＤＣＣＨ信号が送信されたｎ番目の第１の時間区間と時間が重複する複数の第２の時間区間の中の最も早い一つである、ＢＳ。
【請求項８】
前記ＰＤＣＣＨ信号は前記無線通信システムの中の第１セルを通して送信され、
前記ＰＵＳＣＨ信号は前記第１セルと異なる前記無線通信システムの中の第２セルを通して受信される、請求項７に記載のＢＳ。
【請求項９】
前記ＰＤＣＣＨ信号が前記第１セルに関連した第１周波数帯域で送信され、
前記ＰＵＳＣＨ信号が前記第２セルに関連した第２周波数帯域で受信される、請求項８に記載のＢＳ。
【請求項１０】
前記ＰＤＣＣＨ信号はスケジューリング情報を含み、
前記ＰＵＳＣＨ信号は、前記ＰＤＣＣＨ信号で送信された前記スケジューリング情報に基づいて前記ｍ番目の第２の時間区間で受信される、請求項７に記載のＢＳ。
【請求項１１】
前記タイミングオフセットディレイは、前記複数の第２の時間区間のターム（ｔｅｒｍｓ）に現れる、請求項７に記載のＢＳ。
【請求項１２】
前記複数の第１の時間区間のそれぞれは、複数の第１のＯＦＤＭ（ｏｒｔｈｇｏｎａｌ  ｆｒｅｑｕｅｎｃｙ  ｄｉｖｉｓｉｏｎ  ｍｕｌｔｉｐｌｅｘｅｄ）されたシンボルを含み、
前記複数の第２の時間区間のそれぞれは、複数の第２のＯＦＤＭされたシンボルを含む、請求項７に記載のＢＳ。